(57)【要約】      （修正有）【課題】放射線被曝の後遺症または晩発影響についての危険性評価を改善し、繰り返しの観察または治療薬投与に関する患者の追跡効率を改善する。【解決手段】患者における電離放射線の吸収線量、および放射線から組織傷害の重症度を評価するため複数の放射線感受性タンパク質バイオマーカーを測定するためのバイオドシメトリアッセイパネルおよび方法を提供する。また放射線被曝の事象における正常な対照と比較して、変更される複数のバイオマーカーのバイオマーカー測定に基づいて、放射線の吸収線量を計算するために使用されるアルゴリズムを提供する。【選択図】なし【特許請求の範囲】
【請求項１】
患者試料における電離放射線の吸収線量または放射線誘発の組織傷害を評価するために使用される多重アッセイキットであって、前記キットは、前記試料中の複数のバイオマーカーのレベルを測定するように構成され、前記複数のバイオマーカーは、
（ａ）ＤＮＡ損傷バイオマーカー；
（ｂ）炎症反応バイオマーカー；
（ｃ）組織損傷バイオマーカー；
（ｄ）組織損傷修復バイオマーカー；
（ｅ）血液学サロゲートマーカー；および
（ｆ）これらの組み合わせ
を含む、上記多重アッセイキット。
【請求項２】
前記複数のバイオマーカーが、バイオマーカー（ａ）〜（ｅ）のうちの少なくとも２つを含む、請求項１に記載のキット。
【請求項３】
前記複数のバイオマーカーが、バイオマーカー（ａ）〜（ｅ）のうちの少なくとも４つを含む、請求項１に記載のキット。
【請求項４】
前記複数のバイオマーカーが、下記：
（ａ）ＤＮＡ損傷バイオマーカー；
（ｂ）炎症反応バイオマーカー；
（ｃ）組織損傷バイオマーカー；
（ｄ）組織損傷修復バイオマーカー；および
（ｅ）血液学サロゲートマーカー
からなる群から選択される、請求項１に記載のキット。
【請求項５】
試料中に存在する前記複数のバイオマーカーのレベルを、患者によって吸収された放射線の線量と相互に関連付ける指示をさらに含む、請求項１に記載のキット。
【請求項６】
コンピュータシステムによって実行されるとき、コンピュータシステムに、試料中に存在する前記複数のバイオマーカーのレベルを、患者によって吸収された放射線の線量と相互に関連付けることを含む方法を実行させるコンピュータプログラムを格納しているコンピュータ読み取り可能な記録媒体をさらに含む、請求項１に記載のキット。
【請求項７】
請求項１に記載のキットまたは前記複数のバイオマーカーのレベルを測定するための、前記キットのコンポーネントを収納することができるデバイスであって、前記デバイスはコンピュータシステムと動作可能に関連し、前記コンピュータシステムは、該コンピュータシステムによって実行されるとき、コンピュータプログラムに、試料中に存在する前記複数のバイオマーカーのレベルを、患者によって吸収された放射線の線量と相互に関連付けることを含む方法を実行させるコンピュータプログラムを格納している、上記デバイス。
【請求項８】
前記炎症反応バイオマーカーが組織損傷修復バイオマーカーではない、請求項１〜６のいずれか１項に記載のキット
【請求項９】
前記炎症反応バイオマーカーが組織損傷修復バイオマーカーである、請求項１〜６のいずれか１項に記載のキット。
【請求項１０】
前記ＤＮＡ損傷バイオマーカーが、ｐ５３、ｐ２１、ＧＡＤＤ４５ａ、ＡＴＭ、リン酸
化Ｈ２ＡＸヒストン、およびこれらの組み合わせを含む、請求項１〜６のいずれか１項に記載のキット。
【請求項１１】
前記炎症反応バイオマーカーが、ＩＬ−６、ＣＲＰ、ＳＡＡ、ＩＬ−１、ＩＬ−５、ＩＬ−１０、ＫＣ／ＧＲＯ、ＩＦＮ、ＩＬ−２、ＩＬ−４、ＴＮＦ−アルファ、ＩＬ−１２、ＩＬ−３、ＩＬ−７、ＩＬ−６、およびこれらの組み合わせを含む、請求項１〜６のいずれか１項に記載のキット。
【請求項１２】
前記組織損傷バイオマーカーが、唾液ベータ−アミラーゼ、シトルリン化タンパク質、Ｓ１００Ｂ、ＳＰ−Ｄ、ＢＰＩ、ＴＳＰ、ＣＡ１５−３、ＣＤＢＢ、ＣＫＭＢ、ＣＫＭＭ、ＦＡＢＰ２、ＧＦＡＰ、ＮＳＥ、およびこれらの組み合わせを含む、請求項１〜６のいずれか１項に記載のキット。
【請求項１３】
前記血液学サロゲートマーカーが、ＣＤ５、ＣＤ−１６ｂ、ＣＤ２０、ＣＤ１７７、ＣＤ２６、ＣＤ２７、ＣＤ４０、ＣＤ４５、およびこれらの組み合わせを含む、請求項１〜６のいずれか１項に記載のキット。
【請求項１４】
前記組織損傷修復バイオマーカーが、Ｆｌｔ−３Ｌ、Ｇ−ＣＳＦ、ＫＦＧ、ＥＰＯ、ＴＰＯ、ＧＭ−ＣＳＦ、ＳＤＦ−１ａ、およびこれらの組み合わせを含む、請求項１〜６のいずれか１項に記載のキット。
【請求項１５】
前記組織損傷修復バイオマーカーがＦｌｔ−３Ｌである、請求項１〜６のいずれか１項に記載のキット。
【請求項１６】
Ｇ−ＣＳＦ、ＥＰＯ、ＧＭ−ＣＳＦ、ＳＤＦ−１ａ、およびこれらの組み合わせから選択される追加の組織損傷修復バイオマーカーをさらに含む、請求項１〜６のいずれか１項に記載のキット
【請求項１７】
前記炎症反応バイオマーカーが、ＩＬ−１２、ＩＬ−３、ＩＬ−７、ＩＬ−６、またはこれらの組み合わせである、請求項１５または１６に記載のキット。
【請求項１８】
前記キットが、Ｆｌｔ−３Ｌ、Ｇ−ＣＳＦ、ＧＭ−ＣＳＦ、ＥＰＯ、ＣＤ２７、ＣＤ４５、ＳＡＡ、ＣＤ２６、ＩＬ−１２、およびＴＰＯを含む、請求項１〜６および８〜１７のいずれか１項に記載のキット。
【請求項１９】
前記キットが、Ｆｌｔ−３Ｌ、ＧＭ−ＣＳＦ、ＳＡＡ、ＴＰＯ、ＣＤ２７、ＣＤ４５、ＣＤ２６、およびＩＬ−１２を含む、請求項１〜６および８〜１８のいずれか１項に記載のキット。
【請求項２０】
（ａ）バーコード化された患者識別タグ；（ｂ）バーコードを含む乾燥血液スポット収集カード；（ｃ）乾燥剤を含む試料搬送バッグ；（ｄ）プランジャーを有するキャピラリー；または（ｅ）ランセットを含む、追加のキットコンポーネントをさらに含む、請求項１〜６および８〜１９のいずれか１項に記載のキット。
【請求項２１】
前記キットが、イムノアッセイを用いて前記レベルを測定するように構成される、請求項１〜６および８〜２０のいずれか１項に記載のキット。
【請求項２２】
前記キットが、前記キットにおいて行われるアッセイに用いられる複数のアッセイウェルを含むマルチウェルアッセイプレートを含み、前記複数のアッセイウェルが、前記試料中の前記複数のバイオマーカーの前記レベルを測定するように構成される、請求項２１に
記載のキット。
【請求項２３】
前記アッセイプレートのウェルが複数のアッセイドメインを含み、前記アッセイドメインの少なくとも２つは、異なるバイオマーカーを測定するための試薬を含む、請求項２２に記載のキット。
【請求項２４】
前記キットが、複数のアッセイを実行するためのアッセイカートリッジを含み、前記カートリッジが、入口、出口または検出チャンバを有するフローセルを含み、前記入口、検出チャンバまたは出口は前記フローセルを通る流路を画定し、前記検出チャンバは前記試料中の前記複数のバイオマーカーの前記レベルを測定するように構成される、請求項２２に記載のキット。
【請求項２５】
前記キットが、前記アッセイにおいて使用される１つまたはそれ以上の追加のアッセイ試薬をさらに含み、前記１つまたはそれ以上の追加のアッセイ試薬は、１つまたはそれ以上のバイアル、容器または前記キットのコンポーネントにおいて提供される、請求項１〜６および８〜２４のいずれか１項に記載のキット。
【請求項２６】
前記キットが、電気化学発光（ＥＣＬ）標識試薬をさらに含み、前記レベルが、ＥＣＬを測定することによって、前記キットを用いて実行されるアッセイにおいて測定される、請求項２１〜２５のいずれか１項に記載のキット。
【請求項２７】
前記デバイスが、前記キットを用いてＥＣＬ測定を実行するように構成される、請求項７に記載のデバイス。
【請求項２８】
患者試料における電離放射線の吸収線量を評価するために使用される多重アッセイキットであって、前記キットは、前記試料中の複数のバイオマーカーのレベルを測定するように構成され、前記複数のバイオマーカーは、（ｉ）Ｆｌｔ−３Ｌ、Ｇ−ＣＳＦ、ＧＭ−ＣＳＦ、ＥＰＯ、ＣＤ２７、ＣＤ４５、ＳＡＡ、ＣＤ２６、ＩＬ−１２、ＴＰＯ、およびこれらの組み合わせを含む１つまたはそれ以上のバイオマーカー；ならびに（ｉｉ）
（ａ）ＤＮＡ損傷バイオマーカー；
（ｂ）炎症反応バイオマーカー；
（ｃ）組織損傷バイオマーカー；
（ｄ）組織損傷修復バイオマーカー；
（ｅ）血液学サロゲートマーカー；および
（ｆ）これらの組み合わせ
を含む追加のバイオマーカーを含む、上記多重アッセイキット。
【請求項２９】
前記複数のバイオマーカーが、バイオマーカー（ａ）〜（ｅ）のうちの少なくとも２つを含む、請求項２８に記載のキット。
【請求項３０】
前記複数のバイオマーカーが、バイオマーカー（ａ）〜（ｅ）のうちの少なくとも４つを含む、請求項２８に記載のキット。
【請求項３１】
前記複数のバイオマーカーが、下記：
（ａ）ＤＮＡ損傷バイオマーカー；
（ｂ）炎症反応バイオマーカー；
（ｃ）組織損傷バイオマーカー；
（ｄ）組織損傷修復バイオマーカー；および
（ｅ）血液学サロゲートマーカー
からなる群から選択される、請求項２８に記載のキット。
【請求項３２】
試料中に存在する前記複数のバイオマーカーのレベルを、患者によって吸収された放射線の線量と相互に関連付けるための指示をさらに含む、請求項２８に記載のキット。
【請求項３３】
コンピュータシステムによって実行されるとき、コンピュータシステムに、試料中に存在する前記複数のバイオマーカーのレベルを、患者によって吸収された放射線の線量と相互に関連付けることを含む方法を実行させるコンピュータプログラムを格納しているコンピュータ読み取り可能な記録媒体をさらに含む、請求項２８に記載のキット。
【請求項３４】
請求項２８に記載のキットまたは前記複数のバイオマーカーのレベルを測定するための前記キットのコンポーネントを収納することができるデバイスであって、前記デバイスはコンピュータシステムと動作可能に関連し、前記コンピュータシステムは、該コンピュータシステムによって実行されるとき、コンピュータプログラムに、試料中に存在する前記複数のバイオマーカーのレベルを、患者によって吸収された放射線の線量と相互に関連付けることを含む方法を実行させるコンピュータプログラムを格納している、上記デバイス。
【請求項３５】
前記炎症反応バイオマーカーが組織損傷修復バイオマーカーではない、請求項２８〜３４のいずれか１項に記載のキット
【請求項３６】
前記炎症反応バイオマーカーが組織損傷修復バイオマーカーである、請求項２８〜３４のいずれか１項に記載のキット。
【請求項３７】
前記ＤＮＡ損傷バイオマーカーが、ｐ５３、ｐ２１、ＧＡＤＤ４５ａ、ＡＴＭ、リン酸化Ｈ２ＡＸヒストン、およびこれらの組み合わせを含む、請求項２８〜３４のいずれか１項に記載のキット。
【請求項３８】
前記炎症反応バイオマーカーが、ＩＬ−６、ＣＲＰ、ＳＡＡ、ＩＬ−１、ＩＬ−５、ＩＬ−１０、ＫＣ／ＧＲＯ、ＩＦＮ、ＩＬ−２、ＩＬ−４、ＴＮＦ−アルファ、ＩＬ−１２、ＩＬ−３、ＩＬ−７、ＩＬ−６、およびこれらの組み合わせを含む、請求項２８〜３４のいずれか１項に記載のキット。
【請求項３９】
前記組織損傷バイオマーカーが、唾液ベータ−アミラーゼ、シトルリン化タンパク質、Ｓ１００Ｂ、ＳＰ−Ｄ、ＢＰＩ、ＴＳＰ、ＣＡ１５−３、ＣＫＢＢ、ＣＫＭＢ、ＣＫＭＭ、ＦＡＢＰ２、ＧＦＡＰ、ＮＳＥ、およびこれらの組み合わせを含む、請求項２８〜３４のいずれか１項に記載のキット。
【請求項４０】
前記血液学サロゲートマーカーが、ＣＤ５、ＣＤ−１６ｂ、ＣＤ２０、ＣＤ１７７、ＣＤ２６、ＣＤ２７、ＣＤ４０、ＣＤ４５、およびこれらの組み合わせを含む、請求項２８〜３４のいずれか１項に記載のキット。
【請求項４１】
前記１つまたはそれ以上のバイオマーカーがＦｌｔ−３Ｌを含む、請求項２８〜３４のいずれか１項に記載のキット。
【請求項４２】
前記１つまたはそれ以上のバイオマーカーが、Ｇ−ＣＳＦ、ＧＭ−ＣＳＦ、ＥＰＯ、ＣＤ２７、ＣＤ４５、ＳＡＡ、ＣＤ２６、ＩＬ−１２、およびＴＰＯをさらに含む、請求項４１に記載のキット。
【請求項４３】
前記キットが、Ｆｌｔ−３Ｌ、ＧＭ−ＣＳＦ、ＳＡＡ、ＴＰＯ、ＣＤ２７、ＣＤ４５、ＣＤ２６、およびＩＬ−１２を含む、請求項４２に記載のキット。
【請求項４４】
（ａ）バーコード化された患者識別タグ；（ｂ）バーコードを含む乾燥血液スポット収集カード；（ｃ）乾燥剤を含む試料搬送バッグ；（ｄ）プランジャーを有するキャピラリー；または（ｅ）ランセットを含む、追加のキットコンポーネントをさらに含む、請求項２８〜３４および３６〜４３のいずれか１項に記載のキット。
【請求項４５】
前記キットが、イムノアッセイを用いて前記レベルを測定するように構成される、請求項２８〜３４および３６〜４４のいずれか１項に記載のキット。
【請求項４６】
前記キットが、前記キットにおいて行われるアッセイに用いられる複数のアッセイウェルを含むマルチウェルアッセイプレートを含み、前記複数のアッセイウェルが、前記試料中の前記複数のバイオマーカーの前記レベルを測定するように構成される、請求項４５に記載のキット。
【請求項４７】
前記アッセイプレートのウェルが複数のアッセイドメインを含み、前記アッセイドメインの少なくとも２つは異なるバイオマーカーを測定するための試薬を含む、請求項４６に記載のキット。
【請求項４８】
前記キットが、複数のアッセイを実行するためのアッセイカートリッジを含み、前記カートリッジが、入口、出口または検出チャンバを有するフローセルを含み、前記入口、検出チャンバまたは出口は前記フローセルを通る流路を画定し、前記検出チャンバは前記試料中の前記複数のバイオマーカーの前記レベルを測定するように構成される、請求項４５に記載のキット。
【請求項４９】
前記キットが、前記アッセイにおいて使用される１つまたはそれ以上の追加のアッセイ試薬をさらに含み、前記１つまたはそれ以上の追加のアッセイ試薬は、１つまたはそれ以上のバイアル、容器または前記キットのコンポーネントにおいて提供される、請求項２８〜３４および３６〜４８のいずれか１項に記載のキット。
【請求項５０】
前記キットが、電気化学発光（ＥＣＬ）標識試薬をさらに含み、前記レベルがＥＣＬを測定することによって、前記キットを用いて実行されるアッセイにおいて測定される、請求項２８〜３４および３６〜４９のいずれか１項に記載のキット。
【請求項５１】
試料中の複数のバイオマーカーのレベルを測定するように構成された多重血液学サロゲートバイオマーカーアッセイキットであって、前記複数のバイオマーカーは、リンパ球細胞表面マーカー、好中球細胞表面マーカー、およびこれらの組み合わせを含む、上記キット。
【請求項５２】
前記リンパ球細胞表面マーカーが、ＣＤ５、ＣＤ２０、ＣＤ２６、ＣＤ２７、ＣＤ４０、およびこれらの組み合わせを含む、請求項５１に記載のキット。
【請求項５３】
前記好中球細胞表面マーカーが、ＣＤ１６ｂ、ＣＤ１７７、およびこれらの組み合わせを含む、請求項５１に記載のキット。
【請求項５４】
前記試料が、血液細胞ペレット、血清または血漿である、請求項５１に記載のキット。
【請求項５５】
（ａ）バーコード化された患者識別タグ；（ｂ）バーコードを含む乾燥血液スポット収集カード；（ｃ）乾燥剤を含む試料搬送バッグ；（ｄ）プランジャーを有するキャピラリー；または（ｅ）ランセットを含む、追加のキットコンポーネントをさらに含む、請求項５１〜５４のいずれか１項に記載のキット。
【請求項５６】
イムノアッセイを用いて前記レベルを測定するように構成される、請求項５１〜５５のいずれか１項に記載のキット。
【請求項５７】
前記キットが、前記キットにおいて行われるアッセイに用いられる複数のアッセイウェルを含むマルチウェルアッセイプレートを含み、前記複数のアッセイウェルが、前記試料中の前記複数のバイオマーカーの前記レベルを測定するように構成される、請求項５６に記載のキット。
【請求項５８】
前記アッセイプレートのウェルが複数のアッセイドメインを含み、前記アッセイドメインの少なくとも２つは異なるバイオマーカーを測定するための試薬を含む、請求項５７に記載のキット。
【請求項５９】
前記キットが、複数のアッセイを実行するためのアッセイカートリッジを含み、前記カートリッジが、入口、出口または検出チャンバを有するフローセルを含み、前記入口、検出チャンバまたは出口は前記フローセルを通る流路を画定し、前記検出チャンバは前記試料中の前記複数のバイオマーカーの前記レベルを測定するように構成される、請求項５６に記載のキット。
【請求項６０】
試料中の末梢血白血球の状態をアッセイする方法であって、
（ａ）試料中の複数の血液学サロゲートバイオマーカーのレベルを測定する工程であって、該複数のバイオマーカーは、リンパ球細胞表面マーカー、好中球細胞表面マーカー、およびこれらの組み合わせを含む、上記工程；
（ｂ）前記試料中の前記バイオマーカーの前記レベルと、正常の対照試料中の前記バイオマーカーのレベルとを比較する工程；および
（ｃ）前記比較工程（ｂ）に基づいて、前記末梢血白血球状態を決定する工程
を含む上記方法。
【請求項６１】
前記リンパ球細胞表面マーカーが、ＣＤ５、ＣＤ２０、ＣＤ２６、ＣＤ２７、ＣＤ４０、およびこれらの組み合わせを含む、請求項６０に記載の方法。
【請求項６２】
前記好中球細胞表面マーカーが、ＣＤ１６ｂ、ＣＤ１７７、およびこれらの組み合わせを含む、請求項６０に記載の方法。
【請求項６３】
前記試料が、血液細胞ペレット、血清または血漿である、請求項６０に記載の方法。
【請求項６４】
前記試料が血漿である、請求項６０に記載の方法。
【請求項６５】
患者由来の血漿試料における電離放射線の吸収線量を評価する方法であって、
（ａ）前記試料中の血液学サロゲートバイオマーカーのレベルを測定する工程；
（ｂ）プロセッサによって、前記試料中の前記血液学サロゲートマーカーの前記レベルに基づいて、前記患者における前記吸収線量を評価するためのアルゴリズムを適用する工程
を含む上記方法。
【請求項６６】
前記血液学サロゲートマーカーが、ＣＤ５、ＣＤ−１６ｂ、ＣＤ２０、ＣＤ１７７、ＣＤ２６、ＣＤ２７、ＣＤ４０、ＣＤ４５、およびこれらの組み合わせを含む、請求項６５に記載の方法。
【請求項６７】
前記アルゴリズムが、約１〜１０Ｇｙの範囲で電離放射線の吸収線量を定量する、請求
項６５に記載の方法。
【請求項６８】
患者試料中の複数のバイオマーカーのレベルを測定するように構成されているアッセイシステムに動作可能に接続されたコンピュータシステムによって実行されるとき、下記：
（ａ）放射線量または時間の関数として反応表面モデルに前記測定されたレベルを適合させる工程；
（ｂ）前記複数のバイオマーカーを組み合わせるためにコスト関数をコンピュータ計算する工程；および
（ｃ）既知の時間間隔で前記コスト関数を最小限にする放射線量を選択する工程
を含む方法によって、コンピュータシステムに、放射線量を計算する方法を実行させるコンピュータプログラムを格納しているコンピュータ読み取り可能な記録媒体。
【請求項６９】
前記方法が、（ｅ）前記放射線量と閾値とを比較する工程をさらに含み、閾値超は放射線被曝を示す、請求項６８に記載のコンピュータ読み取り可能な記録媒体。
【請求項７０】
前記コンピュータ計算工程（ｂ）が、重み関数Ｗi（放射線量、時間）を適用すること
をさらに含み、ここで、Ｗiは、放射線量または時間の関数として、バイオマーカーｉの
重み関数である、請求項６８に記載のコンピュータ読み取り可能な記録媒体。
【請求項７１】
前記コスト関数が、放射線量の関数として、前記複数のバイオマーカーについての全誤差を表す、請求項６８に記載のコンピュータ読み取り可能な記録媒体。
【請求項７２】
前記コスト関数が、
【数１】
2020193983.tif 000019
であり、式中、ｍiはバイオマーカーｉについての測定値であり、Ｍiは被曝後の既知時間での線量の関数としての予測されたバイオマーカー値であり、ＬＯＤiはバイオマーカー
ｉのアッセイ検出限界であり、またはｎは使用されるバイオマーカーの総数である、請求項６８に記載のコンピュータ読み取り可能な記録媒体。
【請求項７３】
前記コスト関数が、
【数２】
2020193983.tif 000020
であり、式中、ｍiはバイオマーカーｉについての測定値であり、Ｍiは被曝後の既知時間での線量の関数としての予測されたバイオマーカー値であり、またはｎは使用されるバイオマーカーの総数である、請求項６８に記載のコンピュータ読み取り可能な記録媒体。
【発明の詳細な説明】
【技術分野】
【０００１】
関連出願の相互参照
本出願は、全内容が参照によって本明細書に組み入れられる、２０１１年９月２９日に出願された米国仮特許出願第６１／５４０，５８４号の利益を請求する。
【０００２】
本出願は、放射線被曝および放射線への組織傷害の重症度の検出に有用な診断アッセイを行うためのアッセイ方法、モジュールおよびキットに関する。
【０００３】
連邦政府支援の研究に関する陳述
本発明は、米国保健社会福祉省によって認定されたＨＨＳＯ１００２０１０００００９Ｃ下の連邦支援を受けて行われた。米国政府は本発明において一定の権利を有する。
【背景技術】
【０００４】
非常に多数の一般人が、放射線または放射性物質に被曝した事故の後遺症において、保健当局は、生命を脅かす重大な放射線量に被曝した個体を迅速に識別できるようにする必要がある。電離放射線（ＩＲ）の致命的な影響は、広範囲であり、全身および臓器特異的な損傷を含む。大量の電離放射線（＞２Ｇｙ）の急性影響は、特定種の末梢血細胞の枯渇、免疫抑制、粘膜損傷、および、骨や骨髄ニッチ細胞、消化器系、肺、腎臓および中枢神経系のような他の部位への潜在的な傷害を含む。さらに、低または中程度の電離放射線量（１〜３Ｇｙ）への被曝は、肉体的傷害、日和見感染症、および／または出血を伴う場合、死亡率の増加をもたらすことがある。長期的な影響には、広範囲の臓器および組織の機能不全または線維症、白内障が含まれ、最終的には癌のリスクが高まる。多くの場合、放射線被曝の影響は、初期の重症度判定検査および処置によって軽減する場合がある。
【０００５】
放射性物質は器具を用いて検出することができるが、ヒトがすでに受けた放射線量または傷害の評価はより困難である。放射線傷害のための現在および予見可能な医療対策は、多くの場合、高価であり、労働集約的であり、管理者（および監視者）には時間がかかり、利用は制限され、時として深刻な毒性と関連付けられるため、これらは、それらの使用から有益となりそうな対象にのみ投与されるべきである。速く、正確な放射線量および組織傷害評価は、早期の医療介入の恩恵を受けることができる被曝した対象の識別を大いに容易にすることができる。
【０００６】
単一の時間点で回収される試料に基づいて、ＩＲ被曝のレベルを容易に識別することができる迅速な診断は存在しない。全血球数、特にリンパ球数は有用であるが、最適には、線量を推定するために、数時間から数日間空けた少なくとも２つの試料が必要である。放射線バイオドシメトリの分野における診断の「ゴールドスタンダード」は、二動原体染色体アッセイであるが、労働集約的であり、遅く、多数の死傷者を出す状況におけるその使用が問題となる。
【発明の概要】
【発明が解決しようとする課題】
【０００７】
したがって、緊急の医師の診察を必要とする患者を特定し、放射線被曝の後遺症または晩発影響についての危険性評価を改善し、繰り返しの観察または治療薬投与に関する患者の追跡効率を改善し、監視療法および長期のフォローアップおいて役割を果たすために使用され得る高感度であり、特異的なバイオドシメトリ線量評価ツールが必要である。また、このようなツールは、診療中に受けた放射線、例えば、医療用撮像装置から受けた放射線、内科的治療（例えば癌の治療）として受けた放射線、または幹細胞移植のために準備
で受けた放射線を監視するために重要な必要性を満たす。ツールは、誤って過剰に被曝した個体を検出し、個体を選択し、処置に使用される対策線量のスケジュールを最適化し、および特定の個体についてのツールの有効性を監視する能力を提供する。
【課題を解決するための手段】
【０００８】
本発明は、放射線量と組織傷害を評価するために、複数の放射線感受性タンパク質バイオマーカーを測定するためのバイオドシメトリアッセイパネルおよび方法を提供する。本発明の方法は、主要な放射性物質または核事象後、電離放射線に被曝した個体の治療を選別（ｔｒｉａｇｅ）し、導くために用いることができる。これらのツールはまた、内科療法または偶発的な被曝の結果として電離放射線に被曝した個体の治療を導くために使用することができる。
【０００９】
したがって、本発明は、患者試料における電離放射線の吸収線量または放射線誘発の組織傷害を評価するために使用される多重アッセイキットを提供し、上記キットは、上記試料中の複数のバイオマーカーのレベルを測定するように構成され、上記複数のバイオマーカーは、（ａ）ＤＮＡ損傷バイオマーカー；（ｂ）炎症反応バイオマーカー；（ｃ）組織損傷バイオマーカー；（ｄ）組織損傷修復バイオマーカー；（ｅ）血液学サロゲートマーカー（ｈｅｍａｔｏｌｏｇｙ−ｓｕｒｒｏｇａｔｅ  ｍａｒｋｅｒ）；および（ｆ）これらの組み合わせを含む。また、このようなキットまたは上記複数のバイオマーカーのレベルを測定するための上記キットのコンポーネントを収納することができるデバイスが意図され、該デバイスはコンピュータシステムと動作可能に関連し、上記コンピュータシステムは、該コンピュータシステムによって実行されるとき、コンピュータプログラムに、試料中に存在する上記複数のバイオマーカーのレベルを患者によって吸収された放射線量と相互に関連付けることを含む方法を行わせるコンピュータプログラムを格納している。
【００１０】
さらに、患者試料における電離放射線の吸収線量または放射線誘発の組織傷害を評価するために使用される多重アッセイキットが提供され、上記キットは、上記試料中の複数のバイオマーカーのレベルを測定するように構成され、上記複数のバイオマーカーは、（ｉ）Ｆｌｔ−３Ｌ、Ｇ−ＣＳＦ、ＧＭ−ＣＳＦ、ＥＰＯ、ＣＤ２７、ＣＤ４５、ＳＡＡ、ＣＤ２６、ＩＬ−１２、ＴＰＯ、およびこれらの組み合わせを含む１つまたはそれ以上のバイオマーカー；および（ｉｉ）（ａ）ＤＮＡ損傷バイオマーカー；（ｂ）炎症反応バイオマーカー；（ｃ）組織損傷バイオマーカー；（ｄ）組織損傷修復バイオマーカー；（ｅ）血液学サロゲートマーカー；および（ｆ）これらの組み合わせを含む追加のバイオマーカーを含む。好ましい実施形態において、複数のバイオマーカーは、Ｆｌｔ−３Ｌ、ＧＭ−ＣＳＦ、ＳＡＡ、ＴＰＯ、ＣＤ２７、ＣＤ４５、ＣＤ２６、およびＩＬ−１２を含む。
【００１１】
また、本発明は、患者試料における電離放射線の吸収線量を評価する方法であって、該方法は、（ａ）上記試料中の複数のバイオマーカーのレベルを測定する工程；（ｂ）プロセッサによって、上記試料中の上記複数のバイオマーカーの上記レベルに基づいて、上記患者における上記吸収線量を評価するためのアルゴリズムを適用する工程を含み、ここで、上記複数のバイオマーカーが、（ｉ）ＤＮＡ損傷バイオマーカー；（ｉｉ）炎症反応バイオマーカー；（ｉｉｉ）組織損傷バイオマーカー；（ｉｖ）組織損傷修復バイオマーカー；（ｖ）血液学サロゲートマーカー；および（ｖｉ）これらの組み合わせを含む。
【００１２】
さらに、本発明は、患者試料における電離放射線の吸収線量を評価する方法を意図し、該方法は、（ａ）上記試料中の複数のバイオマーカーのレベルを測定する工程；（ｂ）プロセッサによって、上記試料中の上記複数のバイオマーカーの上記レベルに基づいて、上記患者における上記吸収線量を評価するためのアルゴリズムを適用する工程を含み、上記複数のバイオマーカーが、（ｉ）Ｆｌｔ−３Ｌ、Ｇ−ＣＳＦ、ＧＭ−ＣＳＦ、ＥＰＯ、ＣＤ２７、ＣＤ４５、ＳＡＡ、ＣＤ２６、ＩＬ−１２、ＴＰＯ、およびこれらの組み合わせ
を含む１つまたはそれ以上のバイオマーカー；および（ｉｉ）（ａ）ＤＮＡ損傷バイオマーカー；（ｂ）炎症反応バイオマーカー；（ｃ）組織損傷バイオマーカー；（ｄ）組織損傷修復バイオマーカー；（ｅ）血液学サロゲートマーカー；および（ｆ）これらの組み合わせを含む追加のバイオマーカーを含む。好ましい実施形態において、複数のバイオマーカーは、Ｆｌｔ−３Ｌ、ＧＭ−ＣＳＦ、ＳＡＡ、ＴＰＯ、ＣＤ２７、ＣＤ４５、ＣＤ２６、およびＩＬ−１２を含む。
【００１３】
本発明は、患者試料における電離放射線の吸収線量を評価するために使用される多数の多重バイオドシメトリアッセイキット（単数または複数）を提供し、該キットは、上記試料中の複数のバイオマーカーのレベルを測定するように構成され、ここで、上記複数のバイオマーカーは、（ａ）Ｆｌｔ−３Ｌ、Ｇ−ＣＳＦ、ＧＭ−ＣＳＦ、ＥＰＯ、ＣＤ２７、ＣＤ４５、ＳＡＡ、ＣＤ２６、ＩＬ−１２、および／もしくはＴＰＯ；ならびに／または（ｂ）Ｆｌｔ−３Ｌ、ＧＭ−ＣＳＦ、ＳＡＡ、ＴＰＯ、ＣＤ２７、ＣＤ４５、ＣＤ２６、および／もしくはＩＬ−１２を含む。
【００１４】
また、本発明は、患者試料における電離放射線の吸収線量を評価するために使用される様々なバイオドシメトリアッセイキットを提供し、該キット（単数または複数）は、Ｆｌｔ−３Ｌ、Ｇ−ＣＳＦ、ＧＭ−ＣＳＦ、ＥＰＯ、ＣＤ２７、ＣＤ４５、ＳＡＡ、ＣＤ２６、ＩＬ−１２、ＴＰＯのレベルを測定し、および上記レベル（単数または複数）と正常な対照のレベルとを比較するように構成される。
【００１５】
本発明の別の実施形態は、患者試料における電離放射線の吸収線量を評価する方法であって、該方法は、
（ａ）上記試料中の複数のバイオマーカーのレベルを測定する工程；
（ｂ）プロセッサによって、上記試料中の上記複数のバイオマーカーの上記レベルに基づいて、上記患者における上記吸収線量を評価するためにアルゴリズムを適用する工程
を含み；上記複数のバイオマーカーは、（ａ）Ｆｌｔ−３Ｌ、Ｇ−ＣＳＦ、ＧＭ−ＣＳＦ、ＥＰＯ、ＣＤ２７、ＣＤ４５、ＳＡＡ、ＣＤ２６、ＩＬ−１２、ＴＰＯ；または（ｂ）Ｆｌｔ−３Ｌ、ＧＭ−ＣＳＦ、ＳＡＡ、ＴＰＯ、ＣＤ２７、ＣＤ４５、ＣＤ２６、ＩＬ−１２を含む。
【００１６】
さらに、本発明は、患者試料における電離放射線の吸収線量を評価する方法を含み、該方法は、
（ａ）上記試料中のＦｌｔ−３Ｌ、Ｇ−ＣＳＦ、ＧＭ−ＣＳＦ、ＥＰＯ、ＣＤ２７、ＣＤ４５、ＳＡＡ、ＣＤ２６、ＩＬ−１２、ＴＰＯのレベルを測定する工程；および
（ｂ）プロセッサによって、上記試料中の上記複数のバイオマーカーの上記レベルに基づいて、上記患者における上記吸収線量を評価するためにアルゴリズムを適用する工程
を含む。
【００１７】
本発明の別の実施形態は、傷害重症度値を決定する方法であって、
（ａ）患者試料中の複数のバイオマーカーのレベルを測定する工程であって、上記バイオマーカーのうちの１つまたはそれ以上のバイオマーカーは、患者における傷害の事象における正常な対照と比較して変更される、上記工程；
（ｂ）プロセッサによって、傷害重症度指標および／または時間の関数として反応表面モデルに上記測定されたレベルを適合させる工程；
（ｃ）上記複数のバイオマーカーを組み合わせるためにコスト関数をコンピュータ計算する工程；および
（ｄ）既知時間間隔で上記コスト関数を最小限にする傷害重症度値を特定する工程
を含む。
【００１８】
さらに、本発明は、放射線量を決定する方法を含み、
（ａ）患者試料中の複数のバイオマーカーのレベルを測定する工程であって、上記複数のバイオマーカーのうちの１つまたはそれ以上のバイオマーカーは、放射線被曝の事象における正常な対照と比較して変更される、上記工程；
（ｂ）プロセッサによって、放射線量または時間の関数として反応表面モデルに上記測定されたレベルを適合させる工程；
（ｃ）上記複数のバイオマーカーを組み合わせるためにコスト関数をコンピュータ計算する工程；および
（ｄ）既知時間間隔で上記コスト関数を最小限にする放射線量を選択する工程
を含む。
【００１９】
さらに、本発明は、患者試料中の複数のバイオマーカーのレベルを測定するように構成されたアッセイシステムに動作可能に接続されたコンピュータシステムによって実行されるとき、コンピュータシステムに、
（ａ）傷害重症度指標または時間の関数として反応表面モデルに上記測定されたレベルを適合させる工程；
（ｂ）上記複数のバイオマーカーを組み合わせるためにコスト関数をコンピュータ計算する工程；および
（ｃ）既知時間間隔で上記コスト関数を最小限にする傷害重症度値を特定する工程
を含む方法によって、傷害重症度値を計算する方法を行わせるコンピュータプログラムを格納しているコンピュータ読み取り可能な記録媒体を意図する。
【００２０】
さらなる実施形態において、本発明は、患者試料中の複数のバイオマーカーのレベルを測定するように構成されたアッセイシステムに動作可能に接続されたコンピュータシステムによって実行されるとき、コンピュータシステムに、
（ａ）放射線量または時間の関数として反応表面モデルに上記測定されたレベルを適合させる工程；
（ｂ）上記複数のバイオマーカーを組み合わせるためにコスト関数をコンピュータ計算する工程；および
（ｃ）既知時間間隔で上記コスト関数を最小限にする放射線量を選択する工程
を含む方法によって、放射線量を計算する方法を行わせるコンピュータプログラムを格納しているコンピュータ読み取り可能な記録媒体を含む。
【００２１】
追加の実施形態は、試料中の複数のバイオマーカーのレベルを測定するように構成された多重血液学サロゲートバイオマーカーアッセイキットを含み、該複数のバイオマーカーは、リンパ球細胞表面マーカー、好中球細胞表面マーカー、およびこれらの組み合わせを含む。
【００２２】
さらに、本発明の最終の実施形態は、試料中の末梢血白血球の状態をアッセイする方法であって、
（ａ）試料中の複数の血液学サロゲートバイオマーカーのレベルを測定する工程であって、該複数のバイオマーカーは、リンパ球細胞表面マーカー、好中球細胞表面マーカー、およびこれらの組み合わせを含む、上記工程；
（ｂ）上記試料中の上記バイオマーカーの上記レベルと、正常の対照試料中の上記バイオマーカーのレベルとを比較する工程；および
（ｃ）上記比較工程（ｂ）に基づいて、上記末梢血白血球状態を決定する工程
を含む。
【図面の簡単な説明】
【００２３】
【図１】（ａ）−（ｂ）は、マウスにおける血漿Ｆｌｔ−３Ｌレベルに対する放射線の効果を示す図である。パネル（ａ）は、放射（60Ｃｏγ線）後の時間の関数としてのバイオマーカーレベルを示し、それぞれの線は異なる線量を表す。表８は、０Ｇｙの対照と比較して、それぞれの照射条件についてのバイオマーカーレベルの変化に対する有意性（ｐ値、対応のないｔ検定、強調してあるｐ値＜０．０１）を示す。パネル（ｂ）は、放射線を単独で受けたマウス（黒丸）対１５％の表面積にある刺創と組み合わせた放射線を受けたマウス（白丸）においてバイオマーカーレベルを比較する複合傷害研究の結果を示す。両方のプロット上のそれぞれ点は、８匹の同型動物（ｒｅｐｌｉｃａｔｅ  ａｎｉｍａｌ）からの平均レベルを表す。
【図２】（ａ）−（ｂ）は、マウスにおける血漿ＳＡＡレベルに対する放射線の効果を示す図である。パネル（ａ）は、放射（60Ｃｏγ線）後の時間の関数としてのバイオマーカーレベルを示し、それぞれの線は異なる線量を表す。表９は、０Ｇｙの対照と比較して、それぞれの照射条件についてのバイオマーカーレベルの変化に対する有意性（ｐ値、対応のないｔ検定、強調してあるｐ値＜０．０１）を示す。パネル（ｂ）は、放射線を単独で受けたマウス（黒丸）対１５％の表面積にある刺創と組み合わせた放射線を受けたマウス（白丸）においてバイオマーカーレベルを比較する組み合わせ傷害研究の結果を示す。両方のプロット上のそれぞれ点は、８匹の同型動物からの平均レベルを表す。
【図３】（ａ）−（ｂ）は、マウスにおける血漿Ｇ−ＣＳＦレベルに対する放射線の効果を示す図である。パネル（ａ）は、放射（60Ｃｏγ線）後の時間の関数としてのバイオマーカーレベルを示し、それぞれの線は異なる線量を表す。表１０は、０Ｇｙの対照と比較して、それぞれの照射条件についてのバイオマーカーレベルの変化に対する有意性（ｐ値、対応のないｔ検定、強調してあるｐ値＜０．０１）を示す。パネル（ｂ）は、放射線を単独で受けたマウス（黒丸）対１５％の表面積にある刺創と組み合わせた放射線を受けたマウス（白丸）においてバイオマーカーレベルを比較する組み合わせ傷害研究の結果を示す。両方のプロット上のそれぞれ点は、８匹の同型動物からの平均レベルを表す。
【図４】（ａ）−（ｂ）は、マウスにおける血漿ＧＭ−ＣＳＦレベルに対する放射線の効果を示す図である。パネル（ａ）は、放射（60Ｃｏγ線）後の時間の関数としてのバイオマーカーレベルを示し、それぞれの線は異なる線量を表す。表１１は、０Ｇｙの対照と比較して、それぞれの照射条件についてのバイオマーカーレベルの変化に対する有意性（ｐ値、対応のないｔ検定、強調してあるｐ値＜０．０１）を示す。パネル（ｂ）は、放射線を単独で受けたマウス（黒丸）対１５％の表面積にある刺創と組み合わせた放射線を受けたマウス（白丸）においてバイオマーカーレベルを比較する組み合わせ傷害研究の結果を示す。両方のプロット上のそれぞれ点は、８匹の同型動物からの平均レベルを表す。
【図５】（ａ）−（ｂ）は、マウス放射線量研究の結果を示す図である、特に、濃度対時間（パネル（ａ））、濃度対線量（パネル（ｂ））を示す血漿ＩＬ−６の反応、それぞれの照射条件に対する反応（表１２）についての照射対対照のｐ値（対応のないｔ検定、強調してあるｐ値＜０．０１）を示す。
【図６】（ａ）−（ｂ）は、マウスにおける血漿ＴＰＯレベルに対する放射線の効果を示す図である。パネル（ａ）は、放射（60Ｃｏγ線）後の時間の関数としてのバイオマーカーレベルを示し、それぞれの線は異なる線量を表す。表１３は、０Ｇｙの対照と比較して、それぞれの照射条件についてのバイオマーカーレベルの変化に対する有意性（ｐ値、対応のないｔ検定、強調してあるｐ値＜０．０１）を示す。パネル（ｂ）は、放射線を単独で受けたマウス（黒丸）対１５％の表面積にある刺創と組み合わせた放射線を受けたマウス（白丸）においてバイオマーカーレベルを比較する組み合わせ傷害研究の結果を示す。両方のプロット上のそれぞれ点は、８匹の同型動物からの平均レベルを表す。
【図７】（ａ）−（ｂ）は、マウスにおける血漿ＥＰＯレベルに対する放射線の効果を示す図である。パネル（ａ）は、放射（60Ｃｏγ線）後の時間の関数としてのバイオマーカーレベルを示し、それぞれの線は異なる線量を表す。表１４は、０Ｇｙの対照と比較して、それぞれの照射条件についてのバイオマーカーレベルの変化に対する有意性（ｐ値、対応のないｔ検定、強調してあるｐ値＜０．０１）を示す。パネル（ｂ）は、放射線を単独で受けたマウス（黒丸）対１５％の表面積にある刺創と組み合わせた放射線を受けたマウス（白丸）においてバイオマーカーレベルを比較する組み合わせ傷害研究の結果を示す。両方のプロット上のそれぞれ点は、８匹の同型動物からの平均レベルを表す。
【図８】（ａ）−（ｂ）は、マウスにおける血漿ＩＬ−５レベルに対する放射線の効果を示す図である。パネル（ａ）は、放射（60Ｃｏγ線）後の時間の関数としてのバイオマーカーレベルを示し、それぞれの線は異なる線量を表す。表１５は、０Ｇｙの対照と比較して、それぞれの照射条件についてのバイオマーカーレベルの変化に対する有意性（ｐ値、対応のないｔ検定、強調してあるｐ値＜０．０１）を示す。パネル（ｂ）は、放射線を単独で受けたマウス（黒丸）対１５％の表面積にある刺創と組み合わせた放射線を受けたマウス（白丸）においてバイオマーカーレベルを比較する組み合わせ傷害研究の結果を示す。両方のプロット上のそれぞれ点は、８匹の同型動物からの平均レベルを表す。
【図９】（ａ）−（ｂ）は、マウス放射線量研究の結果を示す図である。特に、濃度対時間（パネル（ａ））、濃度対線量（パネル（ｂ））を示す血漿ＩＬ−１０の反応、それぞれの照射条件に対する反応（表１６）についての照射対対照のｐ値（対応のないｔ検定、強調してあるｐ値＜０．０１）を示す。
【図１０】（ａ）−（ｂ）は、マウス放射線量研究の結果を示す図である。特に、濃度対時間（パネル（ａ））、濃度対線量（パネル（ｂ））を示す血漿ＫＣ／ＧＲＯの反応、それぞれの照射条件に対する反応についての照射対対照のｐ値（対応のないｔ検定、強調してあるｐ値＜０．０１）を示す。
【図１１】（ａ）−（ｂ）は、マウス放射線量研究の結果を示す図である。特に、濃度対時間（パネル（ａ））、濃度対線量（パネル（ｂ））を示す血漿ＴＮＦ−αの反応、それぞれの照射条件に対する反応（表１７）についての照射対対照のｐ値（対応のないｔ検定、強調してあるｐ値＜０．０１）を示す。
【図１２】（ａ）−（ｂ）は、マウス放射線量研究の結果を示す図である。特に、濃度対時間（パネル（ａ））、濃度対線量（パネル（ｂ））を示す血液細胞ペレットにおけるγ−Ｈ２ＡＸの反応、それぞれの照射条件に対する反応（表１９）についての照射対対照のｐ値（対応のないｔ検定、強調してあるｐ値＜０．０１）を示す。
【図１３】（ａ）−（ｂ）は、マウス放射線量研究の結果を示す図である。特に、濃度対時間（パネル（ａ））、濃度対線量（パネル（ｂ））を示す血液細胞ペレットにおけるｐ５３の反応、それぞれの照射条件に対する反応（表２０）についての照射対対照のｐ値（対応のないｔ検定、強調してあるｐ値＜０．０１）を示す。
【図１４】（ａ）−（ｂ）は、マウスにおける血漿ＣＤ−２７レベルに対する放射線の効果を示す図である。パネル（ａ）は、放射（60Ｃｏγ線）後の時間の関数としてのバイオマーカーレベルを示し、それぞれの線は異なる線量を表す。表２１は、０Ｇｙの対照と比較して、それぞれの照射条件についてのバイオマーカーレベルの変化に対する有意性（ｐ値、対応のないｔ検定、強調してあるｐ値＜０．０１）を示す。パネル（ｂ）は、放射線を単独で受けたマウス（黒丸）対１５％の表面積にある刺創と組み合わせた放射線を受けたマウス（白丸）においてバイオマーカーレベルを比較する組み合わせ傷害研究の結果を示す。両方のプロット上のそれぞれ点は、８匹の同型動物からの平均レベルを表す。
【図１５】（ａ）−（ｂ）は、マウスにおける血漿ＩＬ−１２レベルに対する放射線の効果を示す図である。パネル（ａ）は、放射（60Ｃｏγ線）後の時間の関数としてのバイオマーカーレベルを示し、それぞれの線は異なる線量を表す。表２２は、０Ｇｙの対照と比較して、それぞれの照射条件についてのバイオマーカーレベルの変化に対する有意性（ｐ値、対応のないｔ検定、強調してあるｐ値＜０．０１）を示す。パネル（ｂ）は、放射線を単独で受けたマウス（黒丸）対１５％の表面積にある刺創と組み合わせた放射線を受けたマウス（白丸）においてバイオマーカーレベルを比較する組み合わせ傷害研究の結果を示す。両方のプロット上のそれぞれ点は、８匹の同型動物からの平均レベルを表す。
【図１６】（ａ）−（ｂ）は、マウスにおける血漿ＣＤ４５レベルに対する放射線の効果を示す図である。パネル（ａ）は、放射（60Ｃｏγ線）後の時間の関数としてのバイオマーカーレベルを示し、それぞれの線は異なる線量を表す。表２３は、０Ｇｙの対照と比較して、それぞれの照射条件についてのバイオマーカーレベルの変化に対する有意性（ｐ値、対応のないｔ検定、強調してあるｐ値＜０．０１）を示す。パネル（ｂ）は、放射線を単独で受けたマウス（黒丸）対１５％の表面積にある刺創と組み合わせた放射線を受けたマウス（白丸）においてバイオマーカーレベルを比較する組み合わせ傷害研究の結果を示す。両方のプロット上のそれぞれ点は、８匹の同型動物からの平均レベルを表す。
【図１７】（ａ）−（ｂ）は、マウスにおける血漿ＣＤ２６レベルに対する放射線の効果を示す図である。パネル（ａ）は、放射（60Ｃｏγ線）後の時間の関数としてのバイオマーカーレベルを示し、それぞれの線は異なる線量を表す。表２４は、０Ｇｙの対照と比較して、それぞれの照射条件についてのバイオマーカーレベルの変化に対する有意性（ｐ値、対応のないｔ検定、強調してあるｐ値＜０．０１）を示す。パネル（ｂ）は、放射線を単独で受けたマウス（黒丸）対１５％の表面積にある刺創と組み合わせた放射線を受けたマウス（白丸）においてバイオマーカーレベルを比較する組み合わせ傷害研究の結果を示す。両方のプロット上のそれぞれ点は、８匹の同型動物からの平均レベルを表す。
【図１８ａ】多重パラメータ線量評価アルゴリズムを用いた、全マウス放射線量研究試料セットについての実際の線量の関数としての予測された線量を示すスキャッタプロットである。異なる色は異なるサンプリング時間に対応する。データは、点を明確に見えるようにするために、Ｘ軸に沿って僅かにディザリングされている。実線上の点は、実際の線量と正確に一致する。破線内の点は、実際の線量（６Ｇｙ未満）の１．５Ｇｙ以内であり、または実際の線量（６Ｇｙを超える）の２５％以内である。パネル（ａ）は、最適な５つのバイオマーカーパネル（Ｆｌｔ−３Ｌ、Ｇ−ＣＳＦ、ＧＭ−ＣＳＦ、ＥＰＯ、ＩＬ１２／２３）を用いた結果を含む。
【図１８ｂ】多重パラメータ線量評価アルゴリズムを用いた、全マウス放射線量研究試料セットについての実際の線量の関数としての予測された線量を示すスキャッタプロットである。異なる色は異なるサンプリング時間に対応する。データは、点を明確に見えるようにするために、Ｘ軸に沿って僅かにディザリングされている。実線上の点は、実際の線量と正確に一致する。破線内の点は、実際の線量（６Ｇｙ未満）の１．５Ｇｙ以内であり、または実際の線量（６Ｇｙを超える）の２５％以内である。パネル（ｂ）は、より小さなＬＰＳ無反応なパネル（Ｆｌｔ−３Ｌ、ＥＰＯ）を用いた結果を含む。
【図１９ａ】６Ｇｙ線量を非照射対照（青色）と区別し、６Ｇｙ線量を３Ｇｙ線量と区別するためのＲＯＣ曲線を示す図である。ＲＯＣ曲線は、試料を分類するために用いられる予測された線量の値を変更させることによって作成された。ヒストグラム挿入図は、６Ｇｙと非照射試料セットの予測された線量の分布を示し、２つの分布の分離を示す図である。パネル（ａ）は、最適な５つのバイオマーカーパネル（Ｆｌｔ−３Ｌ、Ｇ−ＣＳＦ、ＧＭ−ＣＳＦ、ＥＰＯ、ＩＬ１２／２３）を用いた結果を含む。
【図１９ｂ】６Ｇｙ線量を非照射対照（青色）と区別し、６Ｇｙ線量を３Ｇｙ線量と区別するためのＲＯＣ曲線を示す図である。ＲＯＣ曲線は、試料を分類するために用いられる予測された線量の値を変更させることによって作成された。ヒストグラム挿入図は、６Ｇｙと非照射試料セットの予測された線量の分布を示し、２つの分布の分離を示す図である。パネル（ｂ）は、より小さなＬＰＳ無反応なパネル（Ｆｌｔ−３Ｌ、ＥＰＯ）を用いた結果を含む。
【図２０】（ａ）−（ｂ）は、多重パラメータアルゴリズムを用いた、マウスバイオマーカー発見データについての線量分類精度を示す図である。２つの性能測定基準は、用いられたバイオマーカーの数の関数としてプロットされる。それぞれの点は、バイオマーカーの異なる組み合わせの性能を表す；１２個の最大放射感受性バイオマーカーの全ての可能な組み合わせを示す。パネル（ａ）において、精度は、線量によって正確に分類された試料のパーセントとして提示される（６Ｇｙ以下の線量については１．５Ｇｙ以内であり、６Ｇｙを超える線量については２５％以内である）。パネル（ｂ）において、予測誤差は、全ての試料にわたって線量予測におけるＲＭＳ誤差として提示される。２つの高性能なバイオマーカーの組み合わせはそれぞれのパネルサイズについて選択される：傷害感受性マーカーを含まなかったパネル（黄色データ点）および傷害感受性マーカーを含んだパネル（赤色データ点）。これらの選択されたパネルについての性能測定基準を表８に一覧にする。
【図２１】マウスモデルにおいて放射線量を評価するために、多重パラメータアルゴリズムの性能および最適な６重バイオマーカーパネル（ＣＤ２７＋Ｆｌｔ−３Ｌ＋ＧＭ−ＣＳＦ＋ＣＤ４５＋ＩＬ−１２＋ＴＰＯ）を示す図である。本研究で試験された全ての試料は、試験中および線量予測分析中に研究を行う個人に分からないようにした。プロットは、照射後の１〜７日の間に回収された試料についての実際の線量の関数とした予測線量を示す。異なる色は、試料回収の時間に対応する。データは、点を明確に見えるようにするために、Ｘ軸に沿って僅かにディザリングされている。予測された線量が実際の線量に正確に一致する点は実線に該当する。破線の点は、本発明者らの線量予測精度基準を満たし、実際の線量（６Ｇｙ未満）の１．５Ｇｙ以内であり、または実際の線量（６Ｇｙを超える）の２５％以内である。挿入図は、本発明者らの精度基準内に収まる予測された線量のパーセンテージ、およびデータセット全体で予測された線量における平均二乗誤差の平方根を示す。
【図２２】放射線量によってマウス試料を分類するために、多重パラメータアルゴリズムの性能および最適な６重バイオマーカーパネル（ＣＤ２７＋Ｆｌｔ−３Ｌ＋ＧＭ−ＣＳＦ＋ＣＤ４５＋ＩＬ−１２＋ＴＰＯ）を示す図である。本研究で試験された全ての試料は、試験中および線量予測分析中に研究を行う個人に分からないようにした。このプロットにおいて示される分析の焦点は、マウスモデルにおいて５Ｇｙにほぼ同等である、ヒトにおける重要な２Ｇｙ線量閾値を上回るまたは下回る試料を正確に分類するためのアルゴリズムの能力である。プロットは、６Ｇｙ以上の線量と非照射対照（青色）を区別し、６Ｇｙ以上の線量と３Ｇｙ以下の線量を区別するためのＲＯＣ曲線を示す。ＲＯＣ曲線は、試料を分類するために用いられる予測された線量の値を変更させることによって作成された。ヒストグラム挿入図は、０Ｇｙ、３Ｇｙまたは６Ｇｙ線量を受けた試料についての予測線量の分布を示し、これらの分布の分離を示す。最適な予測線量の閾値での分類性能はプロット下の表に与えられる。
【図２３】マウスモデルにおいて放射線量を評価するために、多重パラメータアルゴリズムの性能および最適な６重バイオマーカーパネル（ＣＤ２７＋Ｆｌｔ−３Ｌ＋ＧＭ−ＣＳＦ＋ＣＤ４５＋ＩＬ−１２＋ＴＰＯ）に対する１５％創傷傷害の効果を示す図である。試料セットは、皮膚創傷（１５％の表面積にある刺創）を有するまたは有しない、０Ｇｙまたは６Ｇｙ放射（60Ｃｏγ線）を受けたマウスからの試料を含んだ。試料は、被曝後の最大７日まで異なる時点で回収された。それぞれの線量／傷害／時間条件について同数の反復とした。プロットは、照射後の１〜７日の間に回収された試料についての実際の線量の関数として予測線量を示す。異なる色は、試料回収の時間に対応する。「傷害」データ点を三角として示し、「非傷害」データを丸として示す。データは、点を明確に見えるようにするために、Ｘ軸に沿って僅かにディザリングされている。予測された線量が実際の線量に正確に一致する点は実線に該当する。破線内の点は、本発明者らの線量予測精度基準を満たし、実際の線量（６Ｇｙ未満）の１．５Ｇｙ以内であり、または実際の線量（６Ｇｙを超える）の２５％以内である。挿入図は、本発明者らの精度基準内に収まる予測された線量のパーセンテージ、およびデータセット全体で予測された線量における平均二乗誤差の平方根を示す。
【図２４−１】アカゲザルにおける血漿バイオマーカー（それぞれ、Ｆｌｔ−３Ｌ、ＣＤ２０、ＣＤ２７、ＴＰＯ、ＣＤ１７７、ＩＬ−１２、ＳＡＡ、ＥＰＯ、Ｇ−ＣＳＦ、唾液アミラーゼ（ＡＭＹ）、ＣＲＰ、ＴＩＭＰ−１およびＴＮＦ−ＲＩＩ）に対する放射線の効果を示す図である。プロットは、照射後の時間の関数としたレベルを示す。左に示されたパネルは、60Ｃｏγ線に被曝した試料を用いた結果を反映し、右に示されたパネルは、３ＭＶ  ＬＩＮＡＣ光子に被曝した試料を用いた結果を反映する。プロットにおけるそれぞれの点は、60Ｃｏγ線試料について５〜６匹の動物、最大９日の時点までの３ＭＶ  ＬＩＮＡＣ試料について３〜４匹の動物、９日を超えた時点について２匹の動物を表す。グラフは、対数である図２５（ｂ）および（ｄ）を除いて、線形である。
【図２４−２】アカゲザルにおける血漿バイオマーカー（それぞれ、Ｆｌｔ−３Ｌ、ＣＤ２０、ＣＤ２７、ＴＰＯ、ＣＤ１７７、ＩＬ−１２、ＳＡＡ、ＥＰＯ、Ｇ−ＣＳＦ、唾液アミラーゼ（ＡＭＹ）、ＣＲＰ、ＴＩＭＰ−１およびＴＮＦ−ＲＩＩ）に対する放射線の効果を示す図である。プロットは、照射後の時間の関数としたレベルを示す。左に示されたパネルは、60Ｃｏγ線に被曝した試料を用いた結果を反映し、右に示されたパネルは、３ＭＶ  ＬＩＮＡＣ光子に被曝した試料を用いた結果を反映する。プロットにおけるそれぞれの点は、60Ｃｏγ線試料について５〜６匹の動物、最大９日の時点までの３ＭＶ  ＬＩＮＡＣ試料について３〜４匹の動物、９日を超えた時点について２匹の動物を表す。グラフは、対数である図２５（ｂ）および（ｄ）を除いて、線形である。
【図２４−３】アカゲザルにおける血漿バイオマーカー（それぞれ、Ｆｌｔ−３Ｌ、ＣＤ２０、ＣＤ２７、ＴＰＯ、ＣＤ１７７、ＩＬ−１２、ＳＡＡ、ＥＰＯ、Ｇ−ＣＳＦ、唾液アミラーゼ（ＡＭＹ）、ＣＲＰ、ＴＩＭＰ−１およびＴＮＦ−ＲＩＩ）に対する放射線の効果を示す図である。プロットは、照射後の時間の関数としたレベルを示す。左に示されたパネルは、60Ｃｏγ線に被曝した試料を用いた結果を反映し、右に示されたパネルは、３ＭＶ  ＬＩＮＡＣ光子に被曝した試料を用いた結果を反映する。プロットにおけるそれぞれの点は、60Ｃｏγ線試料について５〜６匹の動物、最大９日の時点までの３ＭＶ  ＬＩＮＡＣ試料について３〜４匹の動物、９日を超えた時点について２匹の動物を表す。グラフは、対数である図２５（ｂ）および（ｄ）を除いて、線形である。
【図２４−４】アカゲザルにおける血漿バイオマーカー（それぞれ、Ｆｌｔ−３Ｌ、ＣＤ２０、ＣＤ２７、ＴＰＯ、ＣＤ１７７、ＩＬ−１２、ＳＡＡ、ＥＰＯ、Ｇ−ＣＳＦ、唾液アミラーゼ（ＡＭＹ）、ＣＲＰ、ＴＩＭＰ−１およびＴＮＦ−ＲＩＩ）に対する放射線の効果を示す図である。プロットは、照射後の時間の関数としたレベルを示す。左に示されたパネルは、60Ｃｏγ線に被曝した試料を用いた結果を反映し、右に示されたパネルは、３ＭＶ  ＬＩＮＡＣ光子に被曝した試料を用いた結果を反映する。プロットにおけるそれぞれの点は、60Ｃｏγ線試料について５〜６匹の動物、最大９日の時点までの３ＭＶ  ＬＩＮＡＣ試料について３〜４匹の動物、９日を超えた時点について２匹の動物を表す。グラフは、対数である図２５（ｂ）および（ｄ）を除いて、線形である。
【図２４−５】アカゲザルにおける血漿バイオマーカー（それぞれ、Ｆｌｔ−３Ｌ、ＣＤ２０、ＣＤ２７、ＴＰＯ、ＣＤ１７７、ＩＬ−１２、ＳＡＡ、ＥＰＯ、Ｇ−ＣＳＦ、唾液アミラーゼ（ＡＭＹ）、ＣＲＰ、ＴＩＭＰ−１およびＴＮＦ−ＲＩＩ）に対する放射線の効果を示す図である。プロットは、照射後の時間の関数としたレベルを示す。左に示されたパネルは、60Ｃｏγ線に被曝した試料を用いた結果を反映し、右に示されたパネルは、３ＭＶ  ＬＩＮＡＣ光子に被曝した試料を用いた結果を反映する。プロットにおけるそれぞれの点は、60Ｃｏγ線試料について５〜６匹の動物、最大９日の時点までの３ＭＶ  ＬＩＮＡＣ試料について３〜４匹の動物、９日を超えた時点について２匹の動物を表す。グラフは、対数である図２５（ｂ）および（ｄ）を除いて、線形である。
【図２４−６】アカゲザルにおける血漿バイオマーカー（それぞれ、Ｆｌｔ−３Ｌ、ＣＤ２０、ＣＤ２７、ＴＰＯ、ＣＤ１７７、ＩＬ−１２、ＳＡＡ、ＥＰＯ、Ｇ−ＣＳＦ、唾液アミラーゼ（ＡＭＹ）、ＣＲＰ、ＴＩＭＰ−１およびＴＮＦ−ＲＩＩ）に対する放射線の効果を示す図である。プロットは、照射後の時間の関数としたレベルを示す。左に示されたパネルは、60Ｃｏγ線に被曝した試料を用いた結果を反映し、右に示されたパネルは、３ＭＶ  ＬＩＮＡＣ光子に被曝した試料を用いた結果を反映する。プロットにおけるそれぞれの点は、60Ｃｏγ線試料について５〜６匹の動物、最大９日の時点までの３ＭＶ  ＬＩＮＡＣ試料について３〜４匹の動物、９日を超えた時点について２匹の動物を表す。グラフは、対数である図２５（ｂ）および（ｄ）を除いて、線形である。
【図２４−７】アカゲザルにおける血漿バイオマーカー（それぞれ、Ｆｌｔ−３Ｌ、ＣＤ２０、ＣＤ２７、ＴＰＯ、ＣＤ１７７、ＩＬ−１２、ＳＡＡ、ＥＰＯ、Ｇ−ＣＳＦ、唾液アミラーゼ（ＡＭＹ）、ＣＲＰ、ＴＩＭＰ−１およびＴＮＦ−ＲＩＩ）に対する放射線の効果を示す図である。プロットは、照射後の時間の関数としたレベルを示す。左に示されたパネルは、60Ｃｏγ線に被曝した試料を用いた結果を反映し、右に示されたパネルは、３ＭＶ  ＬＩＮＡＣ光子に被曝した試料を用いた結果を反映する。プロットにおけるそれぞれの点は、60Ｃｏγ線試料について５〜６匹の動物、最大９日の時点までの３ＭＶ  ＬＩＮＡＣ試料について３〜４匹の動物、９日を超えた時点について２匹の動物を表す。グラフは、対数である図２５（ｂ）および（ｄ）を除いて、線形である。
【図２４−８】照射されたＮＨＰ試料におけるＣＤ２０、ＣＤ１７７、好中球、およびリンパ球の分析を示し、血液細胞計数の代わりにサロゲート放射反応性バイオマーカーとしてのバイオマーカーの可能性を示す図である（）。それぞれのグラフは、ＮＨＰ中のバイオマーカーまたはバイオマーカー比に対する放射線の経時効果を示す（それぞれの線量および時間コホートについてｎ＝６）。
【図２４−９】照射されたＮＨＰ試料におけるＣＤ２０、ＣＤ１７７、好中球、およびリンパ球の分析を示し、血液細胞計数の代わりにサロゲート放射反応性バイオマーカーとしてのバイオマーカーの可能性を示す図である（）。それぞれのグラフは、ＮＨＰ中のバイオマーカーまたはバイオマーカー比に対する放射線の経時効果を示す（それぞれの線量および時間コホートについてｎ＝６）。
【図２５】（ａ）−（ｂ）は、放射線量によって試料セット（Ａ）からＮＨＰ試料を分類するための多重パラメータアルゴリズムの性能を示す図である。データセットは、トレーニングバイアスを避けるために、ランダムなサブサンプリングアプローチを用いてアルゴリズムをトレーニングし、試験するために用いた。このプロットにおいて示される分析の焦点は、ＮＨＰモデルにおいて３Ｇｙにほぼ同等である、ヒトにおける重要な２Ｇｙ線量閾値を上回るまたは下回る試料を正確に分類するためのアルゴリズムの能力である。パネルＡは、３．５Ｇｙ以上の線量と非照射対照（青色）を区別し、３．５Ｇｙ以上の線量と１Ｇｙ以下の線量を区別するためのＲＯＣ曲線を示す。ＲＯＣ曲線は、試料を分類するために用いられる予測された線量の値を変更させることによって作成された。ヒストグラム挿入図は、０Ｇｙ、１Ｇｙまたは３．５Ｇｙ線量を受けた試料についての予測線量の分布を示し、これらの分布の分離を示す。最適な予測線量の閾値での分類性能はプロットを以下の表に与えられる。パネルＢは、実際の線量の関数としてプロットされたＮＨＰ試料についての予測された線量を示す。
【図２６】正常なヒト集団から血漿、および罹患率の高い慢性疾患を有する個体からの血漿におけるバイオマーカーレベルの比較を示す図である。それぞれのグループ−正常、喘息、高血圧（ＨＢＰ）および関節リウマチ（ＲＡ）−についてのデータは、中央値（箱の中央）、下方および上方四分位（箱の上部および下部）および１．５四分位範囲（ひげ）を与える箱ひげフォーマット（Ｂｏｘ  ａｎｄ  Ｗｈｉｓｋｅｒ  ｆｏｒｍａｔ）で示される。異常値は、箱ひげの直接ボックスとウィスカーの真上または真下の黒い点として示される。濃度はｐｇ／ｍＬで与えられ、ＳＡＡおよびＣＲＰは例外としてｎｇ／ｍＬで与えられる。
【図２７】（ａ）−（ｂ）は、非照射マウスと比較した正常なヒトにおけるベースライン変動の増加をモデル化する試みの結果を示す図である。データの観察された標準偏差（ログ領域における）は、正常なヒトレベルの研究において測定された類似したマーカーに対する正常なヒトレベルの研究における類似したマーカーについての観察された標準偏差と一致させるように、ランダムノイズは、バイオマーカー発見データにおける非照射マウスからのバイオマーカーレベルに加えられた。パネルＡは、ノイズの添加前後でのバイオマーカーのうちの１つ（Ｆｌｔ−３Ｌ）のベースラインレベルにおける分布を比較するヒストグラムである。マウスおよびヒトにおける観察された標準偏差とノイズ投入後の標準偏差の表をプロット下に示す。パネルＢは、ノイズの添加前後の盲検研究からの０Ｇｙ試料について予測された線量を示すスキャッタプロットである。比較のために、最適閾値が０Ｇｙまたは６Ｇｙ以上として試料を分類するために元のデータを用いて選択されるように、６Ｇｙ試料について予測された線量もまた示される（添加ノイズなし）（図２７参照）。ノイズの添加は、いずれもの付加的な誤分類をもたらすことなく、分類特異性は１００％のままであった。
【図２８】細胞移植療法の準備においてリンパ球を枯渇させる化学療法を受けたメラノーマ患者からの血漿中のバイオマーカーレベルを示す図である。研究は２つの治療群（ａｒｍ）を有していた：一組の患者はまた、化学療法を受けた３日後にＴＢＩを受け、他方の治療群はＴＢＩないし化学療法を受けた。プロットは、非ＴＢＩ患者からの試料（Ｍｅｌａ−Ｃｎｔｒｌ−０Ｇｙ）、放射線治療前のＴＢＩ患者から回収された試料（Ｍｅｌａ−ＴＢＩ−０Ｇｙ）、および単一の２Ｇｙ画分を受けた５〜６時間後のＴＢＩ患者から回収された試料（Ｍｅｌａ−ＴＢＩ−２Ｇｙ）におけるバイオマーカーレベルを比較する。また、４０人の正常な血液ドナーからのバイオマーカーレベル（図２７参照）を比較のために与える。濃度はｐｇ／ｍＬで与えられ、ＳＡＡおよびＣＲＰは例外としてｎｇ／ｍＬで与えられる。２Ｇｙ画分を受けた患者のＡＭＹ１Ａ（唾液アミラーゼ）レベルとｐ５３レベルは、被曝前のレベルおよび研究の非ＴＢＩ対照治療群におけるレベルと比較して有意な上昇を示した（ｐ＜０．０５）。
【図２９】（ａ）−（ｂ）は、局放射線治療（２Ｇｙの画分、週５画分、６週間）を受けた肺癌患者（上部）およびＧＩ癌患者（下部）からの血漿中のバイオマーカーレベルを示す図である。プロットは、放射線療法前、および３０Ｇｙと６０Ｇｙ（肺）または５４Ｇｙ（ＧＩ）の累積線量後のバイオマーカーレベルを示す。また、４０人の正常な血液ドナーからのバイオマーカーレベル（図２７参照）を比較のために与える。濃度はｐｇ／ｍＬで与えられ、ＳＡＡおよびＣＲＰは例外としてｎｇ／ｍＬで与えられる。
【図３０】（ａ）−（ｅ）は、Ｆｌｔ−３Ｌ、ＳＡＡ、Ｇ−ＣＳＦ、ＧＭ−ＣＳＦおよびＩＬ−６の血漿レベルについての交絡効果マウス研究の結果を示す図である。Ｙ軸は放射線反応が見えるようにスケーリングされる。いくつかの場合において、ＬＰＳ反応はスケール外である。様々な条件についての最大反応は、図中のログスケールで表示することができる。放射線量研究から０Ｇｙおよび６Ｇｙ実行の結果を比較のために並べてプロットする。
【図３１】（ａ）−（ｅ）は、ＴＰＯ、ＥＰＯ、ＩＬ−１２／２３、ＩＬ−５およびＩＬ−１０の血漿レベルについての交絡効果マウス試験の結果を示す図である。Ｙ軸は放射線反応が見えるようにスケーリングされる。いくつかの場合において、ＬＰＳ反応はスケール外である。様々な条件についての最大反応は、図中のログスケールで表示することができる。放射線量研究から０Ｇｙおよび６Ｇｙ実行の結果を比較のために並べてプロットする。
【図３２】（ａ）−（ｄ）は、ＫＣ／ＧＲＯとＴＮＦαの血漿レベル、およびｐ５３とγＨ２ＡＸの血液細胞ペレットレベルについての交絡効果マウス試験の結果を示す図である。Ｙ軸は放射線反応が見えるようにスケーリングされる。いくつかの場合において、ＬＰＳ反応はスケール外である。様々な条件についての最大反応は、図中のログスケールで表示することができる。放射線量研究から０Ｇｙおよび６Ｇｙ実行の結果を比較のために並べてプロットする。
【図３３】交絡効果の研究の概要を与える。それぞれのアッセイについて、バーグラフは、対照マウスの平均濃度、および放射線量研究と交絡効果研究の両方において試験された全ての条件でＧ−ＣＳＦおよびＬＰＳに対する最大反応を生じさせる条件での平均濃度を示す図である。それぞれのアッセイについてのシグナルは、１００％に設定される最大放射線反応に対して標準化される。
【図３４】（ａ）−（ｄ）は、Ｆｌｔ−３Ｌ、ＥＰＯ、ＣＲＰおよびＳＡＡについて照射されたＮＨＰからの保存された血漿試料の試験結果を示す図である。ＳＡＡを市販のＥＬＩＳＡキットを用いて測定した。それぞれ点は、３つの異なる動物の平均値を表す。
【図３５】（ａ）−（ｄ）は、ＩＬ−６、ＢＰＩ、ＴＰＯおよびｐ５３について照射されたＮＨＰからの保存された血漿試料の試験結果を示す図である。それぞれ点は、３つの異なる動物の平均値を表す。
【図３６】（ａ）−（ｂ）は、リンパ球細胞表面マーカーＣＤ２０および好中球細胞表面マーカーＣＤ１７７について照射ＮＨＰから保存された血漿試料の試験結果を示す図である。２つの試験された用量（１．０および３．５Ｇｙ）についてのバイオマーカー濃度を黒丸として示し、ｙ軸スケールはプロットの左側に与えられる。また、比較のために、同時間の同動物において測定されたリンパ球および好中球細胞計数を白丸で示し、ｙ軸スケールはプロットの右側に与えられる。それぞれ点は、３つの異なる動物の平均値を表す。
【図３７】３．５Ｇｙ（ヒトにおける約２Ｇｙと同等）超を受けた動物と３．５Ｇｙ未満を受けた動物の良好な識別を与える６つの血漿マーカー（Ｆｌｔ−３Ｌ、ＥＰＯ、ｐ５３、ＣＤ２０、ＣＤ１７７およびＳＡＡ）のパネルからの結果を示し、さらに、半定量の線量予測について高精度を与える。
【図３８ａ】患者試料において１つまたはそれ以上のバイオマーカーを分析し、それらのバイオマーカーのレベル（単数または複数）をそれぞれ傷害重症度値または放射線量と相関させることによって、患者試料からそれぞれ重症度値または放射線量を生じさせるための、本明細書に記載されている統計学的方法の使用を示す図である。
【図３８ｂ】患者試料において１つまたはそれ以上のバイオマーカーを分析し、それらのバイオマーカーのレベル（単数または複数）をそれぞれ傷害重症度値または放射線量と相関させることによって、患者試料からそれぞれ重症度値または放射線量を生じさせるための、本明細書に記載されている統計学的方法の使用を示す図である。
【図３８ｃ】本明細書に記載されている統計学的方法を用いて試料を分析するために使用されるシステムの１つの非制限的な例を示す図であり、ここで、該システムはプロセッサおよびアルゴリズムモジュールを含む。
【発明を実施するための形態】
【００２４】
本明細書において別段定義がない限り、本明細書において使用される科学用語および技術用語は、当業者によって一般的に理解される意味を有するものとする。さらに、文脈によって別段必要とされない限り、単数形の用語は複数を含むものとし、複数の用語は単数形を含むものとする。冠詞「１つの（ａ）」および「１つの（ａｎ）」は、冠詞の文法上の目的語の１つまたは１を超えるもの（すなわち、少なくとも１つ）を指すように本明細書において使用される。一例として、「要素」は１つの要素または１を超える要素を意味する。
【００２５】
本発明の一実施形態は、患者試料における電離放射線の吸収線量を評価するために用いることができる多重バイオドシメトリアッセイキットおよび方法である。本発明の方法およびキットは、急性放射線症候群（ＡＲＳ）を発症する可能性もしくは危険性を評価し、および／または患者におけるＡＲＳの臨床的重症度を評価するために用いることができる。放射線被曝の種類に応じて、本発明の方法およびキットは、測定の任意の適切な単位で放射線量を評価するために用いてもよい。例えば、外部被曝後の電離放射線の吸収線量は、限定されないが、グレイ（またはｒａｄ）およびシーベルト（またはｒｅｍ）を含む、測定の様々な適切な単位で測定することができる；内部汚染後の放射線量は、預託実効線量当量（ＣＥＤＥ）として測定される；外部および内部被曝に関連した線量は、総実効線量当量（ＴＥＤＥ）として測定される。
【００２６】
本発明の特定の実施形態において使用されるアッセイパネル（単数または複数）は、放射線被曝を評価するために用いられる複数の放射線バイオマーカーを含む。放射線バイオマーカーは、限定されないが、タンパク質、核酸、炭水化物および代謝産物を含む、生物の放射線への被曝の指標として作用する任意の物質であってもよい。一実施形態において、パネルに含まれるバイオマーカーは全てタンパク質である。
【００２７】
適切なアッセイパネルは、以下のバイオマーカーの種類：ＤＮＡ損傷バイオマーカー、炎症反応バイオマーカー、組織損傷バイオマーカー、組織損傷修復バイオマーカー、および血液学サロゲートバイオマーカーのうちの少なくとも１つ、２つ、３つ、４つまたは５つから少なくとも１つの放射線バイオマーカーを含む。本明細書で使用されるとき、ＤＮＡ損傷バイオマーカーは、放射線誘導性ＤＮＡ損傷に対する宿主反応と関連付けられる放射線バイオマーカーである。炎症反応バイオマーカーは、放射線被曝に起因する全身性ま
たは局所性の炎症反応中に上方制御または下方制御される放射線バイオマーカーである。組織損傷バイオマーカーは、放射線に起因した局所性組織損傷の結果として組織から放出される放射線バイオマーカーであり、一方、組織損傷修復バイオマーカーは、組織損傷後の修復、再生、または線維芽細胞増殖期（ｆｉｂｒｏｂｌａｓｔｉｃ  ｐｈａｓｅ）中に上方制御または下方制御されるタンパク質である。組織損傷修復バイオマーカーはまた、限定されないが、線維芽細胞形成、コラーゲン合成、組織リモデリング、および再編成を含む、軟組織修復過程に関連付けられるタンパク質を含んでもよい。最後に、血液サロゲートバイオマーカーは、特定の血液細胞集団に対する放射線の影響を評価するために、従来の血液細胞カウントの代用として用いることができる血液細胞の細胞表面マーカーである。有用な血液学サロゲートマーカーは、一般的な種類の細胞（例えば、白血球）、またはそれらの種類に含まれるより具体的な細胞型、例えば、リンパ球、好中球および血小板または、さらにより具体的には、Ｔ細胞またはＢ細胞に見出されるマーカーを含む。
【００２８】
上述したバイオマーカーのカテゴリ間にいくつかの重複があってもよい。例えば、いくつかの炎症反応バイオマーカーはまた、組織損傷修復に関連してもよい。一実施形態において、放射線バイオマーカーパネルは、少なくとも１つの炎症反応バイオマーカーと少なくとも１つの組織損傷修復バイオマーカーを含む。代替の実施形態において、パネルは、炎症反応バイオマーカーと組織損傷修復バイオマーカーの両方であるバイオマーカーを含む。
【００２９】
本発明に用いることができるバイオマーカーの非限定的リストを以下の表１に示す。
【００３０】
【表１】
2020193983.tif 000002
【００３１】
好ましい実施形態において、本発明において使用されるアッセイパネルは、試料における複数のバイオマーカーのレベルを測定するように構成され、ここで、複数のバイオマーカーは、Ｆｌｔ−３Ｌ、Ｇ−ＣＳＦ、ＧＭ−ＣＳＦ、ＥＰＯ、ＣＤ２７、ＣＤ４５、ＳＡＡ、ＣＤ２６、ＩＬ−１２、ＴＰＯ、およびこれらの組み合わせのうちの１つまたはそれ以上、および／またはＤＮＡ損傷バイオマーカー、炎症反応バイオマーカー、組織損傷バイオマーカー、組織損傷修復バイオマーカー、血液学サロゲートバイオマーカー、およびこれらの組み合わせを含む追加のバイオマーカーを含む。具体的な実施形態において、パネルは、Ｆｌｔ−３Ｌ、ＧＭ−ＣＳＦ、ＳＡＡ、ＴＰＯ、ＣＤ２７、ＣＤ４５、ＣＤ２６、ＩＬ−１２、およびこれらの組み合せを含む。一実施形態において、ＩＬ−１２アッセイは、ＩＬ−１２のｐ７０ヘテロ二量体におけるＩＬ−１２のｐ４０サブユニットに特異的であり、ＩＬ−２３（ｐ４０サブユニットも含む）と交差反応する場合がある。別の実施形態において、ＩＬ−１２アッセイは、完全なＩＬ−１２のｐ７０ヘテロ二量体に特異的である。
【００３２】
放射線への被曝を評価するための選択されたバイオマーカーは、好ましくは、糖尿病、喘息、高血圧、心臓病、関節炎および／または他の慢性炎症性疾患もしくは自己免疫疾患
のようなヒト集団において高い罹患率を伴う慢性疾患による影響を有意に受けない。放射線への被曝を評価するための選択されたバイオマーカーはまた、好ましくは、放射線事象において個人が経験する場合もある他のタイプの外傷（例えば、創傷、火傷および／または精神的ストレス）による影響を受けない。一実施形態において、全身放射線被曝（例えば、２、６、１０または１２Ｇｙ）に関連するバイオマーカー反応は、創傷、火傷および／または精神的外傷に関連するバイオマーカー反応に関連付けられるバイオマーカー反応よりも小さい。このような比較は、複合傷害動物モデルの使用を介して決定することができる。本発明者らは、交絡疾患または外傷からの有意な交絡効果を有するバイオマーカーがさらに選択され、線量評価アルゴリズムにおいて値を有することに気づく。一実施形態において、このような交絡効果によって影響を受ける可能性があるバイオマーカーが含まれ、このような交絡状態の存在または非存在に関する情報は線量評価のためのアルゴリズムに含まれる。例えば、潜在的な交絡状態が患者（例えば、交絡疾患または外傷）において特定される場合、線量評価アルゴリズムの精度に対する交絡状態の影響を最小限にするために取ることができるアプローチは、ｉ）アルゴリズムを用いた分析から患者を排除すること；ｉｉ）アルゴリズムを適用するが、交絡状態におって影響される可能性があるバイオマーカーを排除し、または該バイオマーカーに小さな重みを適用する編集されたバイオマーカーパネルを用いること、またはｉｉｉ）交絡状態に強固であるように選択されたバイオマーカーパネルを使用する異なるアルゴリズムを適用することを含む。
【００３３】
本発明のキットは、末梢血細胞カウントなどの血液学的パラメータを測定し、または「急性期反応」（ＡＰＲ）バイオマーカーを測定するためのデバイス、試薬、および／または消耗品をさらに含むことができる。このようなアッセイコンポーネントは、Ｃ反応性タンパク質のレベルを測定するＱｕｉｋｒｅａｄ  ＣＲＰフィンガープリックデバイス（Ｏｒｉｏｎ  Ｄｉａｇｎｏｓｔｉｃａ、Ｆｉｎｌａｎｄ）などの、血液細胞カウントおよびＡＲＰバイオマーカーを評価するための市販製品の変形であってもよい。
【００３４】
好ましい実施形態において、本発明は、リンパ球および好中球カウントの代用として有用であるリンパ球および好中球の細胞表面マーカーについてのアッセイを含む。本発明は、多重化された血液学サロゲートバイオマーカーアッセイを行う方法およびそのためのキットを提供し、試料中の複数のバイオマーカーのレベルを測定するように構成されたキットを含み、リンパ球細胞表面マーカーおよび／または好中球細胞表面マーカーを含む。一実施形態において、リンパ球表面マーカーは、ＣＤ５、ＣＤ２０、ＣＤ２６、ＣＤ２７、ＣＤ４０、またはこれらの組み合わせを含む。さらに、好中球細胞表面マーカーは、ＣＤ１６ｂ、ＣＤ１７７、またはこれらの組み合わせを含む。本発明の血液学サロゲートマーカーアッセイ法は、全血、血液細胞ペレット、血清、および／または血漿を含む試料に対して行うことができる。一実施形態において、測定は、乾燥血液スポットを再構成することによって調製された試料で行われる。別の実施形態において、このような測定は、血清および／または血漿試料を用いて行われる。好ましい実施形態において、測定は血漿試料を用いて行われる。驚くべきことに、本発明者らは、好中球およびリンパ球表面マーカーの遊離（すなわち、細胞非結合）形態が血漿中で測定することができ、放射線被曝後の血漿中のこれらのマーカーのレベルが、好中球およびリンパ球に対する放射線の影響を評価するために有用な診断情報を提供することを発見した。
【００３５】
生物学的アッセイの技術分野における当業者は、本発明のバイオマーカーおよびバイオマーカーパネルを測定するための多くの適切なアプローチおよび器具を承知している。一実施形態において、キットは、イムノアッセイを用いてバイオマーカーレベルを測定するように構成される。好ましい実施形態において、キットは、１つまたはそれ以上の試料における複数のバイオマーカーを測定するように構成された複数のアッセイウェルを含むマルチウェルアッセイプレートを含む。好ましくは、ウェルは、複数の異なるバイオマーカーの多重化された測定を行うために個々のウェルの使用を可能にするように構成される。
１つのこのようなアッセイプレートにおいて、アッセイプレートのウェルは複数のアッセイドメインを含み、アッセイドメインのうちの少なくとも２つは異なるバイオマーカーを測定するための試薬を含む。代替の好ましい実施形態において、キットは、試料中のバイオマーカーを測定するためのアッセイカートリッジを含む。好ましくは、カートリッジは、入口、出口、および検出チャンバを有するフローセルを含み、該入口、検出チャンバおよび出口は該フローセルを通じる流路を画定し、該検出チャンバは試料中の複数のバイオマーカーのレベルを測定するように構成される。本発明の方法において使用されるキットは、アッセイに用いられる１つまたはそれ以上の追加のアッセイ試薬をさらに含んでもよく、それらの追加の試薬は、キットの１つまたはそれ以上のバイアル、容器、またはコンパートメントで提供され得る。さらに、放射線被曝を評価するためのキットはまた、（ａ）バーコード化された患者識別タグ；（ｂ）例えば、試料識別を促進するために使用され得る、バーコードを含む乾燥血液スポット収集カード；（ｃ）乾燥剤を含む試料搬送バッグ；（ｄ）プランジャーを有するキャピラリー；および／または（ｅ）ランセットを含むことができる。
【００３６】
本発明のキットおよび方法において分析され得る試料は、限定されないが、対象の疾患、障害、または異常な状態のバイオマーカーを含むまたは潜在的に含む、任意の生体液、細胞、組織、器官、およびこれらの組み合わせまたはその一部を含む。例えば、試料は、生検によって得られた標本の組織学的切片、または組織培養に置かれたもしくは組織培養に適合された細胞であってもよい。さらに、試料は、細胞内画分もしくは抽出物、または粗製もしくは実質的に純粋な核酸分子またはタンパク質調製物であってもよい。一実施形態において、本発明のアッセイにおいて分析される試料は、血液ペレット、血清または血漿などの血液または血液画分である。他の適切な試料には、生検組織、腸粘膜、尿、耳下腺、血液学的組織、腸、肝臓、膵臓、または神経系が含まれる。試料は、任意の患者から採取されてもよく、限定されないが、動物、哺乳類、霊長類、非ヒト霊長類、ヒトなどが挙げられる。一実施形態において、レベルはイムノアッセイを用いて測定される。本明細書に開示されている放射線バイオマーカーパネルは、患者の健康を評価し、監視するために、開始時および急性放射線症候群の経過全体で用いてもよい。好ましい実施形態において、試料は、放射線被曝後の約１〜７日以内に患者から回収される。
【００３７】
本明細書で使用するとき、「バイオマーカー」は、疾患または異常状態であり得る特定の生物学的状態と関連付けられる物質である。バイオマーカーレベルの変化は、疾患または異常の危険性もしくは進行、または所定の治療に対する疾病もしくは異常の感受性と相関させることができる。バイオマーカーは、疾患の危険性または個体における疾患の存在の診断に有用であり得て、または個体の疾患に対する治療（薬物治療もしくは投与計画の選択肢）を調整するのに有用であり得る。潜在的な薬物療法の評価において、バイオマーカーは、生存または不可逆的な疾病率のような天然のエンドポイントの代用として用いることができる。治療が改善された健康に直接連結するバイオマーカーを変更する場合、バイオマーカーは、臨床的有用性を評価するための「代理のエンドポイント」として機能する。
【００３８】
本明細書において使用するとき、用語「レベル」とは、バイオマーカーの量、濃度、または活性を指す。また、用語「レベル」とは、バイオマーカーの量、濃度または活性の変化の速度を指すことがある。レベルは、遺伝子によってコードされたメッセンジャＲＮＡ（ｍＲＮＡ）の量もしくは合成速度、遺伝子によってコードされた所定のアミノ酸配列に対応するポリペプチドの量もしくは合成速度、または細胞に蓄積されたバイオマーカーの生化学的形態の量もしくは合成速度によって表すことができ、例えば、ポリペプチド、核酸または小分子のような特定の合成修飾後のバイオマーカーの量が挙げられる。この用語は、試料中のバイオマーカーの絶対量、またはバイオマーカーの相対量を指すために用いることができ、定常状態または非定常状態の条件下で決定された量または濃度を含む。ま
た、レベルは、バイオマーカーの変化量、濃度、活動または速度と相関するアッセイシグナルを指してもよい。バイオマーカーのレベルは、試料中の対照マーカーと比較して決定することができる。
【００３９】
正常と疾患／露出患者間の区別に有益な特定のバイオマーカーは、例えば、一次元もしくは多次元グラフ上にプロットされたデータの視覚的分類によって、または対照の個体と疾患患者間の統計学的に加重された差異を特徴付けるなどの統計学的方法を用いることによって、および／または受信者動作特性（ＲＯＣ）曲線分析を用いることによって特定することができる。有用なバイオマーカーを同定し、検出閾値／アルゴリズムを設定するための適切な種々の方法は、当該技術分野において知られ、当業者に明らかである。
【００４０】
例えば、限定されないが、診断的に価値のあるバイオマーカーは、先ず、
【数１】
2020193983.tif 000003
として計算される、対照個体と被曝または異常患者間の統計学的に加重された差異を用いて同定することができる。上記式中、Ｄは、放射線に被曝されたものと診断された患者におけるバイオマーカーの中央値レベルであり、Ｎは、対照個体の中央値（または平均）であり、δDは、Ｄの標準偏差であり、σNは、Ｎの標準偏差である。マグニチュードが大きくなると、疾患集団と正常集団間の統計学的な差異が大きくなる。
【００４１】
本発明の一実施形態によれば、対照個体と、例えば１、１．５、２、２．５または３よりも大きい疾患／被曝患者間の統計学的に加重された差異をもたらすバイオマーカーは、診断価値のあるマーカーを同定することができた。
【００４２】
バイオマーカーを同定するための統計学的分析の別の方法は、例えば、Ｓｋａｔｅｓら、（２００７）Ｃａｎｃｅｒ  Ｅｐｉｄｅｍｉｏｌ．Ｂｉｏｍａｒｋｅｒｓ  Ｐｒｅｖ．１６（２）：３３４−３４１に記載されるｚ−スコアの使用である。
【００４３】
診断マーカーとして作用するための、特定のバイオマーカーのような特定の候補分析物の効力を決定するための本発明の独創的な方法において有用であり得る統計学的分析の別の方法は、ＲＯＣ曲線分析である。ＲＯＣ曲線は、陽性もしくは陰性の試料または対象を正しく同定するための診断の能力に対する、例えば、試料中のアッセイシグナルまたは分析物のレベルのような診断指標についてのカットオフ値などのカットオフ基準の効果を調べるための図式アプローチである。ＲＯＣ曲線の１つの軸は、真陽性率（ＴＰＲ、すなわち、真の陽性試料／対象が正しく陽性として同定される確率）、または偽陰性率（ＦＮＲ＝１−ＴＰＲ、真の陽性試料／対象が誤って陰性として同定される確率）である。他の軸は、真陰性率、すなわち、ＴＮＲ、真の陰性試料が正しく陰性として同定される確率、であり、あるいは、偽陽性率（ＦＰＲ＝１−ＴＮＲ、真の陰性試料が誤って陽性と同定される確率）である。ＲＯＣ曲線は、陽性または陰性として試料／対象を同定するために使用される診断カットオフ値を変化させ、それぞれのカットオフ値について、ＴＲＰまたはＦＮＲおよびＴＮＲまたはＦＰＲの計算値をプロットすることによって、試料／対象の集団についてのアッセイ結果を用いて作成される。ＲＯＣ曲線下の面積（本明細書においてＡＵＣと称する）は、陽性および陰性の試料／対象を区別する診断の能力の１つの指標である。一実施形態において、バイオマーカーは、ＡＵＣ≧０．７を与える。別の実施形態において、バイオマーカーは、ＡＵＣ≧０．８を与える。別の実施形態において、バイオマーカーは、ＡＵＣ≧０．９を与える。
【００４４】
ＲＯＣ曲線分析によって分析される診断指標は、分析物のレベル、例えばバイオマーカー、またはアッセイシグナルであってもよい。あるいは、診断指標は、複数の測定値の関数であってもよく、例えば、複数の分析物、例えば、複数のバイオマーカーのレベル／アッセイシグナルの関数、または患者の視覚的な放射線学的および／または組織学的評価に基づいて決定される患者のスコアリング値を伴う１つまたはそれ以上の分析物のレベルもしくはアッセイシグナルを合わせる関数であってもよい。マルチパラメータ分析は、単一マーカーの分析と比較してより正確な診断を与えることができる。
【００４５】
マルチ分析物パネルの候補は、例えば、個々の分析物ＲＯＣ面積、幾何学的な四分位範囲（ＬＱＲ）などによって標準化されるグループ間の中央値の差などの基準を用いることによって選択され得る。目的は、グループ（例えば、正常および疾患集団）間の分離を改善し、または誤分類率を最小化するために分析物の空間を仕切ることである。
【００４６】
１つのアプローチは、個々の分析物の反応の加重された組み合わせとしてパネル反応を定義し、次に、ＲＯＣ面積、感度および特異性の生成物のような目的関数をコンピュータ計算することである。例えば、開示が全体として参照によって本明細書に組み入れられるＷＯ２００４／０５８０５５およびＵＳ２００６／０２０５０１２を参照されたい。加重係数は、仕分ける目的を定義する；線形組み合わせについては、目的は、２次元のライン、３次元の平面、より高次元の超平面である。最適な係数は、目的関数を最大化し、複数の次元における関数の極値を見つけるためのアルゴリズム、例えば、勾配降下法、滑降シンプレックス法、シミュレート化アニーリングなどを用いて決定することができる；より詳細には、「Ｎｕｍｅｒｉｃａｌ  Ｒｅｃｉｐｅｓ  ｉｎ  Ｃ，Ｔｈｅ  Ａｒｔ  ｏｆ  Ｓｃｉｅｎｔｉｆｉｃ  Ｃｏｍｐｕｔｉｎｇ」、Ｗ．Ｐｒｅｓｓら、Ｃａｍｂｒｉｄｇｅ
Ｕｎｉｖｅｒｓｉｔｙ  Ｐｒｅｓｓ、１９９２年に見出すことができる。
【００４７】
別のアプローチは、判別分析を用いることであり、この場合、多変量確率分布（正規、多項など）を用いて、それぞれのグループを記述する。いくつかの分布は、分析物空間における仕切り超平面をもたらす。このアプローチの利点の１つは、一度に２つというよりはむしろ、複数のグループ（例えば、正常、疾患１、疾患２）に測定値を同時に分類する能力である。さらに詳細には、「Ｐｒｉｎｃｉｐｌｅｓ  ｏｆ  Ｍｕｌｔｉｖａｒｉａｔｅ  Ａｎａｌｙｓｉｓ，Ａ  Ｕｓｅｒ’ｓ  Ｐｅｒｓｐｅｃｔｉｖｅ」、Ｗ．Ｊ．Ｋｒｚａｎｏｗｓｋｉ、Ｏｘｆｏｒｄ  Ｕｎｉｖｅｒｓｉｔｙ  Ｐｒｅｓｓ、２０００年、および「Ｍｕｌｔｉｖａｒｉａｔｅ  Ｏｂｓｅｒｖａｔｉｏｎｓ」、Ｇ．Ａ．Ｆ．Ｓｅｂｅｒ，Ｊｏｈｎ  Ｗｉｌｅｙ、２００４年を参照された。
【００４８】
仕切り超平面が決定されると、異なるアッセイパネルの構造安定性は、それぞれのグループについて分離超平面への距離メトリックを評価することによって比較することができる。上述したアルゴリズムは、グループ間の最良の分類を見出すように設計されていることは注目に値する；したがって、これらのアルゴリズムはまた、異なる疾患または同疾患の集団もしくはサブグループまたは集団を区別するために使用することができる。最後に、カテゴリーデータ（年齢、性別、人種、民族性など）はまた、異なるレベルにコード化され、この方法における最適化変数として用いることができる。
【００４９】
一実施形態において、本発明は、（ａ）患者試料中の複数の放射線バイオマーカーのレベルを測定する工程；（ｂ）放射線量または試料時間の関数として該バイオマーカーの反応について反応表面モデルに上記測定されたレベルを適合させる工程；（ｃ）複数のバイオマーカーを組み合わせるためのコスト関数をコンピュータ計算する工程；（ｄ）コスト関数を最小限にする計算された放射線量と計算された試料時間を選択する工程；場合により、（ｅ）受けた線量に従って個体を分類するために（例えば、被曝していない個体から被曝した個体を区別するため、または処置オプションから恩恵を受ける患者を同定するた
めに）、閾値と上記計算された放射線量を比較する工程を含む放射線量−計算アルゴリズムを与える。
【００５０】
試料時間は、本明細書で使用するとき、放射線被曝の事象と試料が収集された時間との間の時間を指す。試料時間が知られている、または知られることが期待されているという用途において、例えば、所定の時間枠において被曝が生じたとき、実際の試料時間をアルゴリズムに与えることができる。これらの場合において、計算された放射線量だけが、上記工程（ｄ）において選択される必要がある。
【００５１】
好ましい実施形態において、２パラメータ反応関数、すなわち、Ｍi（線量、時間）が
決定され、この場合、Ｍiは、線量および試料時間の関数としてのマーカーｉの期待レベ
ルである。あるいは、Ｍiはまた、１つまたはそれ以上のバイオマーカーのレベルに由来
する派生値ｉの期待レベルを表してもよく、例えば、マーカーレベルの逆数、マーカーレベルのログ、２つのマーカーレベルの比率または生成物などが挙げられる。好ましくは、反応関数は、ヒト、動物またはインビトロ研究からの既存データに基づいて確立される。
【００５２】
これらの確立された反応関数に基づいて、異なるマーカー（または派生値）のそれぞれの反応関数への最良の全フィットを与える放射線被曝線量（および、線量が知られているが、試料時間が知られていない場合、場合により試料時間）を決定することができる。最良のフィットを見出すために最小限にすることができるコスト関数の１つの一般的形態（Ｆ）は、以下の式によって与えられる。Ｅiは、バイオマーカーの測定されたレベル（ま
たは派生値）ｉ（ｍi）と、所定の線量−時間条件について反応表面によって予期される
バイオマーカーの期待レベル（または派生値）（Ｍi（線量、時間））との間の不一致と
関連付けられる値を与える関数である。Ｗiは、それぞれのマーカーｉについて、線量依
存的および／または時間依存的であってもよい加重関数である。加重関数は、特定の線量および時間の範囲における特定のマーカーに与えられる重要度を変化させるために使用されてもよい。一実施形態において、加重は、測定の統計学的有意性に基づいて、その線量および時間点で決定される。多数の異なる加重関数を用いることができ、例えば、その線量および時間でのバイオマーカーレベルの変動係数（ＣＶ）の逆数が挙げられる。場合により、加重関数を省略してもよい。
【００５３】
【数２】
2020193983.tif 000004
【００５４】
Ｅiを計算するための可能な方法の例としては、ｍiとＭiの差を計算し、その差の絶対
値を計算し、またはその差の二乗を計算することが挙げられる。一実施形態において、ｍiとＭiの値は、例えば、正常な試料について、または全ての期待される試料についての最小値、最大値、中央値もしくは平均値によってバイオマーカーを分割することによって、より多くのバイオマーカーを過度に強調することを避けるために標準化される。標準化係数を有する好ましいコスト関数の１つの具体例が以下に与えられ、これは、「最小二乗フィット」に対応し、それぞれの期間は、測定値とフィット値の生成物に標準化され、加重関数によってスケーリングされる。
【００５５】
【数３】
2020193983.tif 000005
【００５６】
また、コスト関数は、Ｍiおよびｍiの値を変換することができる。後述する好ましいコスト関数において、ログ値は、最大倍数変化を有するバイオマーカーに対して過剰な強調を最小限にし、さらに、より高い存在量を有するバイオマーカーについてバイアスを最小限にするために使用される。
【００５７】
【数４】
2020193983.tif 000006
【００５８】
また、バイオマーカーレベルについての測定値およびフィット値は、直線的にまたは直交して、検出限界（ＬＯＤ）または定量の下限に加えられ、以下の関数におけるように、検出限界に近いレベルの変化のコスト関数への影響を最小限にしてもよい。
【００５９】
【数５】
2020193983.tif 000007
式中、ｍiは、バイオマーカーｉの測定値であり、Ｍiは、被曝後の既知時間での線量の関数として予測されるバイオマーカー値であり、ＬＯＤiは、バイオマーカーｉのアッセ
イ検出限界であり、ｎは、使用されるバイオマーカーの総数である。
【００６０】
また、放射線量を評価するための上述のアルゴリズムは、重症度指数、すなわち、疾患または障害の段階を特徴付ける臨床医によって使用される分類スケールを用いて、臨床設定において評価することができる疾患状態により一般的に適用することができる。様々な状態を重症度指標を用いて評価する。例えば、外傷性脳傷害、脳卒中、塞栓症、肝疾患、腎疾患、心疾患、炎症性腸疾患、アルツハイマー病、認知症、甲状腺疾患、関節リウマチ、多発性硬化症、乾癬、全身性エリテマトーデス、橋本甲状腺炎、悪性貧血、アジソン病、Ｉ型糖尿病、皮膚筋炎、シェーグレン症候群、重症筋無力症、反応性関節炎、グレーブス病、セリアック病、または癌が挙げられる。
【００６１】
この点に関して、上述したアルゴリズムは、傷害重症度値計算アルゴリズムとして用いることができ、該アルゴリズムは、（ａ）患者試料中の複数のバイオマーカーのレベルを測定する工程であって、複数のバイオマーカーの１つまたはそれ以上のバイオマーカーは、患者における傷害の事象において正常対照と比較して変更される、上記工程；（ｂ）傷害重症度指数または時間の関数として反応表面モデルに測定されたレベルをフィットさせる工程；（ｃ）複数のバイオマーカーを組み合わせるためのコスト関数をコンピュータ計算する工程；（ｄ）既知の時間間隔でコスト関数を最小限にする傷害重症度値を同定する工程；場合により、（ｅ）傷害重症度値を閾値と比較する工程を含み、閾値を超える傷害重大度値が傷害の相対的重症度を指示する。これは図３８（ａ）に示され、この図におい
て、ユーザ（３８０１）は、アッセイシステム（３８０３）（図３８（ｃ）に図示されるプロセッサ（３８０４）とアルゴリズムモジュール（３８０５）を含む）を用いて、患者試料（３８０２）中の複数のバイオマーカーを測定する。アッセイシステムのプロセッサとアルゴリズムモジュールは、測定したバイオマーカーレベル（３８０６）を反応表面モデル（３８０７）にフィットさせ、コスト関数（３８０８）を計算し、重症度指数（３８０９）を同定する。同様に、試料中の放射線量を分析するための統計学的方法の使用を図３８（ｂ）に図示し、この図において、放射線量（３８１０）を統計学的方法を用いて生じさせる。
【００６２】
この実施形態において、コスト関数は以下の通りである。
【数６】
2020193983.tif 000008
式中、ｍiは、バイオマーカーｉの測定値であり、Ｍiは、傷害後の既知時間での重症度指標（ＳＩ）の関数として予測されるバイオマーカー値であり、ＬＯＤiは、バイオマー
カーｉのアッセイ検出限界であり、またはｎは、使用されるバイオマーカーの総数である。好ましくは、コスト関数は以下の通りである。
【数７】
2020193983.tif 000009
式中、ｍiは、バイオマーカーｉの測定値であり、Ｍiは、傷害後の既知時間での重症度指標（ＳＩ）の関数として予測されるバイオマーカー値であり、またはｎは、使用されるバイオマーカーの総数である。
【００６３】
他の統計学的方法を用いて、バイオマーカーレベルの多変量分析を行うことができる。例えば、ニューラルネットアプローチを用いることができる（例えば、Ｍｕｓａｖｉら、Ｎｅｕｒａｌ  Ｎｅｔｗｏｒｋｓ（１９９２年）（５）：５９５−６０３；Ｗａｎｇら、Ａｒｔｉｆ．Ｉｎｔｅｌｌ．Ｍｅｄ．（２０１０年）４８（２−３）：１１９−１２７；Ｌａｎｃａｓｈｉｒｅ，Ｌ．ら、Ｃｏｍｐｕｔａｔｉｏｎａｌ  Ｉｎｔｅｌｌｉｇｅｎｃｅ  ｉｎ  Ｂｉｏｉｎｆｏｒｍａｔｉｃｓ  ａｎｄ  Ｃｏｍｐｕｔａｔｉｏｎａｌ  Ｂｉｏｌｏｇｙ（２００５）：ｐｐ．１−６，１４−１５を参照されたい）。ニューラルネットワークは、非線形システムをシミュレートするために用いられる幅広いクラスのフレキシブルモデルである。それらは、しばしば大多数の「神経細胞」、すなわち、単一の線形または非線形なコンピュータエレメントからなり、しばしば複雑な方法で相互接続され、しばしば層に体系化される。他のモデリングアプローチとしては、限定されないが、線形モデル、サポートベクターマシーンおよび判別分析が含まれる（Ｌａｎｃａｓｈｉｒｅら、「Ｕｔｉｌｉｚｉｎｇ  Ａｒｔｉｆｉｃｉａｌ  Ｎｅｕｒａｌ  Ｎｅｔｗｏｒｋｓ  ｔｏ  Ｅｌｕｃｉｄａｔｅ  Ｓｅｒｕｍ  Ｂｉｏｍａｒｋｅｒ  Ｐａｔｔｅｒｎｓ  Ｗｈｉｃｈ  Ｄｉｓｃｒｉｍｉｎａｔｅ  Ｂｅｔｗｅｅｎ  Ｃｌｉｎｉｃａｌ  Ｓｔａｇｅｓ  ｉｎ  Ｍｅｌａｎｏｍａ」Ｐｒｏｃｅｅｄｉｎｇｓ  ｏｆ  ｔｈｅ  ２００５  ＩＥＥＥ
Ｓｙｍｐｏｓｉｕｍ  ｏｎ  Ｃｏｍｐｕｔａｔｉｏｎａｌ  Ｉｎｔｅｌｌｉｇｅｎｃｅ
ｉｎ  Ｂｉｏｉｎｆｏｒｍａｔｉｃｓ  ａｎｄ  Ｃｏｍｐｕｔａｔｉｏｎａｌ  Ｂｉｏｌｏｇｙ、Ｎｏｖ．１４−１５，２００５年、ｐｐ．１−６；Ｗａｎｇら、「Ｍｅｔｈｏｄ  ｏｆ  ｒｅｇｕｌａｔｏｒｙ  ｎｅｔｗｏｒｋ  ｔｈａｔ  ｃａｎ  ｅｘｐｌｏｒｅ
ｐｒｏｔｅｉｎ  ｒｅｇｕｌａｔｉｏｎｓ  ｆｏｒ  ｄｉｓｅａｓｅ  ｃｌａｓｓｉｆｉｃａｔｉｏｎ」、Ａｒｔｉｆ  Ｉｎｔｅｌｌ  Ｍｅｄ．、４８（２−３）（２０１０年）、ｐｐ．１１９−１２７）。
【００６４】
したがって、本発明の方法は、試料中の複数のバイオマーカーのレベルを測定し、試料中の複数のバイオマーカーのレベルに基づいて、試料中の吸収線量を評価するためのアルゴリズムを適用することによって、患者試料における電離放射線の吸収線量を評価するために使用することができ、ここで、複数のバイオマーカーは、ＤＮＡ損傷バイオマーカー、炎症反応バイオマーカー、組織損傷バイオマーカー、組織損傷修復バイオマーカー、または血液学サロゲートバイオマーカーを含む。好ましい実施形態において、アルゴリズムは、約１〜１０Ｇｙの範囲、好ましくは約１〜６Ｇｙの間、より好ましくは約２〜６Ｇｙの間、または約６〜１０Ｇｙの間において、電離放射線の吸収線量を定量する。
【００６５】
本明細書に開示されている全てのまたは１つもしくはそれ以上の部分のアルゴリズムおよび統計学的方法は、プロセッサ、汎用もしくは専用もしくは他のこのようなマシーン、集積回路によって行われまたはそこで実行され、または任意のこれらの組み合わせによって行われ得る。さらに、本明細書に開示されているアルゴリズム（単数または複数）および統計学的方法（単数または複数）を行うためのソフトウェア指示は、コンピュータ、プロセッサ、汎用もしくは専用もしくは他のこのようなマシーン、または任意のこれらの組み合わせによって使用するために、コンピュータ読み取り可能な媒体、すなわち記憶デバイスに全体としてまたは部分的に記憶させてもよい。適切な記億デバイスの非限定的なリストとしては、限定されないが、コンピュータハードドライブ、コンパクトディスク、一時的な伝播シグナル、ネットワーク、または適切なドライブによってもしくは適切な接続を介して読み取られる携帯型媒体が挙げられる。
【００６６】
バイオマーカー測定に加えて、バイオドシメトリ評価は、臨床症状に関する情報などの追加入力から恩恵を受けることができる。例えば、バイオドシメトリ評価ツール（ＢＡＴ）は、ヒト放射線災害の管理に関連した診断情報（臨床徴候および症状、身体線量測定など）を医療サービス提供者に装備させるソフトウェアアプリケーションである。放射線事故後の速やかな使用のために予備的に設計されることで、ソフトウェアアプリケーションは、被曝したものから得られたデータの回収、統合、および保存を促進する。テンプレートで収集されたデータは、マルチパラメータ線量評価を提供するために、文献から得られた、確立された放射線量反応と比較される。プログラムは、災害管理に有用な臨床情報（放射能汚染の及ぶ範囲、創傷、感染など）を保存し、簡潔な形式で関連する診断情報を提示し、軍と民間の放射線事故の両方を管理するために使用することができる。
【００６７】
バイオマーカーレベルは、当業者に利用可能な多数の技術のいずれかを用いて測定することができ、例えば、直接的な物理学的測定（例えば、質量分析）または結合アッセイ（例えば、イムノアッセイ、凝集アッセイ、およびイムノクロマトグラフィーアッセイ）が挙げられる。本明細書において同定されたバイオマーカーは、任意の適切な免疫測定法によって測定することができるが、該方法には、限定されないが、ＥＬＩＳＡ、マイクロスフェアベースのイムノアッセイ法、ラテラルフロー試験ストリップ、抗体ベースのドットブロットまたはウェスタンブロットが含まれる。この方法はまた、化学反応、例えば、光吸収の変化、蛍光の変化、化学発光または電気化学発光の生成、反射率、屈折率または光散乱の変化、表面からの検出可能な標識の蓄積または放出、酸化または還元または酸化還元種、電流または電位、磁場の変化に起因するシグナルを測定することを含むことができる。適切な検出技術は、フォトルミネッセンス（例えば、蛍光、時間分解蛍光、エバネセント波蛍光、アップコンバーティング蛍光体、多光子蛍光などの測定を介する）、化学発光、電気化学発光、光散乱、光吸収、放射活性、磁場、酵素活性（例えば、光学的吸収もしくは蛍光の変化を引き起こし、または化学発光を引き起こす酵素的反応を介した酵素活
性を測定することによる）を介して、標識の測定を通じて標識された結合試薬の関与を測定することによって結合事象を検出することができる。あるいは、標識の使用を必要としない検出技術、例えば、質量（例えば、表面音響波測定）、屈折率（例えば、表面プラズモン共鳴測定）、または分析物の固有の発光の測定に基づく技術を用いることができる。
【００６８】
バイオマーカーレベルを測定するための結合アッセイは、固相または均質なフォーマットを用いることができる。適切なアッセイ法は、サンドイッチアッセイまたは競合結合アッセイを含む。サンドイッチイムノアッセイの例は、米国特許第４，１６８，１４６号および米国特許第４，３６６，２４１号に記載され、両者は、全体として参照によって本明細書に組み入れられる。競合イムノアッセイの例は、米国特許第４，２３５，６０１号、米国特許第４，４４２，２０４号および米国特許第５，２０８，５３５号に開示されているものが挙げられ、これらのそれぞれは、全体として参照によって本明細書に組み入れられる。
【００６９】
多重バイオマーカーは、多重アッセイフォーマットを用いて測定することができ、例えば、結合試薬アレイの使用を介して多重化すること、標識のスペクトル識別を用いて多重化すること、粒子上で行われる結合アッセイのフローサイトメトリー分析の多重化、例えば、Ｌｕｍｉｎｅｘ（登録商標）システムの使用が挙げられる。適切な多重化法には、対象とするバイオマーカーに指向された固相化抗体のパターン化されたアレイを用いるアレイベースの結合アッセイが含まれる。多重化アッセイを行うための様々なアプローチが報告されている（例えば、それぞれが参照によって本明細書に組み入れられるＵＳ２００４００２２６７７；ＵＳ２００５００５２６４６；ＵＳ２００３０２０７２９０；ＵＳ２００３０１１３７１３；ＵＳ２００５０１４２０３３；およびＵＳ２００４０１８９３１１を参照されたい。多重化結合アッセイへの１つのアプローチは、結合試薬のパターン化されたアレイの使用を伴い、例えば、より詳細には、米国特許第５，８０７，５２２号および第６，１１０，４２６号；Ｄｅｌｅｈａｎｔｙ  Ｊ−Ｂ．、Ｐｒｉｎｔｉｎｇ  ｆｕｎｃｔｉｏｎａｌ  ｐｒｏｔｅｉｎ  ｍｉｃｒｏａｒｒａｙｓ  ｕｓｉｎｇ  ｐｉｅｚｏｅｌｅｃｔｒｉｃ  ｃａｐｉｌｌａｒｉｅｓ、Ｍｅｔｈｏｄｓ  Ｍｏｌ．Ｂｉｏ．（２００４年）２７８：１３５−４４；Ｌｕｅ  Ｒ  Ｙら、Ｓｉｔｅ−ｓｐｅｃｉｆｉｃ  ｉｍｍｏｂｉｌｉｚａｔｉｏｎ  ｏｆ  ｂｉｏｔｉｎｙｌａｔｅｄ  ｐｒｏｔｅｉｎｓ  ｆｏｒ
ｐｒｏｔｅｉｎ  ｍｉｃｒｏａｒｒａｙ  ａｎａｌｙｓｉｓ、Ｍｅｔｈｏｄｓ  Ｍｏｌ．  Ｂｉｏｌ．（２００４年）２７８：８５−１００；Ｌｏｖｅｔｔ、Ｔｏｘｉｃｏｇｅｎｏｍｉｃｓ：Ｔｏｘｉｃｏｌｏｇｉｓｔｓ  Ｂｒａｃｅ  ｆｏｒ  Ｇｅｎｏｍｉｃｓ  Ｒｅｖｏｌｕｔｉｏｎ、Ｓｃｉｅｎｃｅ（２０００年）２８９：５３６−５３７；Ｂｅｒｎｓ  Ａ、Ｃａｎｃｅｒ：Ｇｅｎｅ  ｅｘｐｒｅｓｓｉｏｎ  ｉｎ  ｄｉａｇｎｏｓｉｓ、ｎａｔｕｒｅ（２０００年）、４０３、４９１−９２；Ｗａｌｔ、Ｍｏｌｅｃｕｌａｒ
Ｂｉｏｌｏｇｙ：Ｂｅａｄ−ｂａｓｅｄ  Ｆｉｂｅｒ−Ｏｐｔｉｃ  Ａｒｒａｙｓ、Ｓｃｉｅｎｃｅ（２０００年）２８７：４５１−５２を参照されたい）。別のアプローチは、個々に同定され、詮索することができるビーズ上にコーティングされた結合試薬の使用を伴う。例えば、複数の分析物をアッセイするためにサイズが異なる磁性粒子の使用を記載するＷＯ９９２６０６７を参照されたい；異なる別個のサイズ範囲に属する粒子は異なる分析物をアッセイするために使用される。粒子は、フローサイトメトリーによって個々に識別され、詮索されるように設計されている。Ｖｉｇｎａｌｉは、６４個の異なるビーズセットの微粒子を使用する多重結合アッセイを報告し、それぞれは２つの色素を均一であって、明確な比率を有する（Ｖｉｇｎａｌｉ，Ｄ．Ａ  Ａ、「Ｍｕｌｔｉｐｌｅｘｅｄ
Ｐａｒｔｉｃｌｅ−Ｂａｓｅｄ  Ｆｌｏｗ  Ｃｙｔｏｍｅｔｒｉｃ  Ａｓｓａｙｓ」、Ｊ．Ｉｍｍｕｎｏｌ  Ｍｅｔｈ．（２０００年）２４３：２４３−５５）。異なる大きさおよび蛍光の１５個の異なるビーズのセットを伴う類似のアプローチは、複数の肺炎球菌血清型の同時タイピングに有用なものとして開示されている（Ｐａｒｋ，Ｍ．Ｋら、「Ａ
Ｌａｔｅｘ  Ｂｅａｄ−Ｂａｓｅｄ  Ｆｌｏｗ  Ｃｙｔｏｍｅｔｒｉｃ  Ｉｍｍｕｎｏ
ａｓｓａｙ  Ｃａｐａｂｌｅ  ｏｆ  Ｓｉｍｕｌｔａｎｅｏｕｓ  Ｔｙｐｉｎｇ  ｏｆ  Ｍｕｌｔｉｐｌｅ  Ｐｎｅｕｍｏｃｏｃｃａｌ  Ｓｅｒｏｔｙｐｅｓ（Ｍｕｌｔｉｂｅａｄ  Ａｓｓａｙ）」、Ｃｌｉｎ．Ｄｉａｇ．Ｌａｂ  ＩｍｍｕｎｏＬ（２０００年）７：４８６９）。Ｂｉｓｈｏｐ，ＪＥらは、６つのヒトサイトカインの同時定量化についての多重サンドイッチアッセイを報告している（Ｂｉｓｈｏｐ，ＬＥ．ら、「Ｓｉｍｕｌｔａｎｅｏｕｓ  Ｑｕａｎｔｉｆｉｃａｔｉｏｎ  ｏｆ  Ｓｉｘ  Ｈｕｍａｎ  Ｃｙｔｏｋｉｎｅｓ  ｉｎ  ａ  Ｓｉｎｇｌｅ  Ｓａｍｐｌｅ  Ｕｓｉｎｇ  Ｍｉｃｒｏｐａｒｔｉｃｌｅ−ｂａｓｅｄ  Ｆｌｏｗ  Ｃｙｔｏｍｅｔｒｉｃ  Ｔｅｃｈｎｏｌｏｇｙ」、Ｃｌｉｎ．Ｃｈｅｍ（１９９９年）４５：１６９３−１６９４）。
【００７０】
診断テストは、例えば、アッセイプレートの単一のウェルまたはカートリッジのアッセイチャンバであるアッセイチャンバなどの単一のアッセイチャンバにおいて行うことができる。本発明に適したアッセイ測定を行うためのアッセイモジュール（例えば、アッセイプレートまたはカートリッジまたはマルチウェルアッセイプレート）、方法および本装置は、例えば、ＵＳ２００４００２２６７７；ＵＳ２００５００５２６４６；ＵＳ２００５０１４２０３３；ＵＳ２００４０１８９３１１に記載され、それぞれは、全体として参照によって本明細書に組み入れられる。アッセイプレートおよびプレートリーダーは、現在市販されている（ＭＵＬＴｌ−ＳＰＯＴ（登録商標）およびＭＵＬＴＩ−ＡＲＲＡＹ（登録商標）プレートおよびＳＥＣＴＯＲ（登録商標）機器、ＭＥＳＯ  ＳＣＡＬＥ  ＤＩＳＣＯＶＥＲＹ（登録商標）、Ｍｅｓｏ  Ｓｃａｌｅ  Ｄｉａｇｎｏｓｔｉｃｓ，ＬＬＣ、Ｇａｉｔｈｅｒｓｂｕｒｇ、ＭＤの一部門）。
【００７１】
上記の構築物および方法を例示する具体的な実施例を参照されたい。実施例は、本発明の種々の実施形態の範囲を限定するというよりはむしろ、例示するために与えられることが理解されるべきである。
【実施例】
【００７２】
方法
アッセイ。アッセイは、ＭＳＤ  ＭＵＬＴＩ−ＡＲＲＡＹ９６ウェルプレート中の多数の異なる一重化または多重化されたパネルとして開発され、ＭＳＤプレートリーダー上でＥＣＬ検出を用いて分析された（例えば、Ｍｅｓｏ  Ｓｃａｌｅ  Ｄｉｓｃｏｖｅｒｙから市販されているプレートリーダーのＳＥＣＴＯＲまたはＰＲ２ライン、Ｍｅｓｏ  Ｓｃａｌｅ  Ｄｉａｇｎｏｓｔｉｃｓ，ＬＬＣ、Ｇａｉｔｈｅｒｓｂｕｒｇ、ＭＤの一部門）。アッセイパネルにおいて分析されたバイオマーカーとしては、表１に列挙されるバイオマーカーが挙げられる。
【００７３】
アッセイパネルを用いたアッセイ測定を行う前に、試料は、最初に、そのパネル用に特定された希釈まで、適切な試料希釈剤で希釈された。次に、希釈した試料（典型的には約１０〜２５ｕＬ）は、パネル内の標的用の捕捉抗体のアレイを含むＭＵＬＴＩ−ＡＲＲＡＹアッセイのウェル中に、追加体積の試料希釈剤（典型的には、希釈された試料体積の３分の１倍）と合わせられた。プレートを、振とうしながら約２時間インキュベートし、試料を取り出し、ウェルをリン酸緩衝生理食塩水で３回洗浄した。ウェル中の標的に対する標識された（ＭＥＳＯ  ＳＣＡＬＥ  ＤＩＳＣＯＶＥＲＹからも市販されているＥＣＬ標識であるＭＳＤ  ＳＵＬＦＯ−ＴＡＧ（商標）標識）検出抗体の混合物５０μＬ体積を添加し、プレートを振とうしながら約１時間インキュベートした。ウェルをリン酸緩衝生理食塩水で３回洗浄し、約１２５μＬのＭＳＤ  Ｔ  Ｒｅａｄ緩衝液（ＭＥＳＯ  ＳＣＡＬＥ  ＤＩＳＣＯＶＥＲＹから市販されている）を添加した。プレートをＭＳＤ  ＥＣＬプレートリーダー（ＭＥＳＯ  ＳＣＡＬＥ  ＤＩＳＣＯＶＥＲＹから市販されている）を用いて読み取った。リーダーは、相対的ＥＣＬ単位でそれぞれのアレイエレメントについてのアッセイシグナルを記録する。
【００７４】
同じ手順を用いて血液細胞ペレット中の細胞内マーカーを分析した。ただし、初期試料は、ヒストン抽出緩衝液（５０ｍＭのＴＲＩＳ  ｐＨ７．５、５００ｍＭのＮａＣｌ、０．５％のデオキシコール酸Ｎａ、１％のＴｒｉｔｏｎ  Ｘ１００、２ｍＭのＥＤＴＡ、１％のＰｈＩＣ、１％のＰＩＣおよび１ｍＭのＰＭＳＦ；１０6個の白血球あたり２００μ
Ｌ）中で血液細胞ペレットを抽出することによって調製された。
【００７５】
実験プレートレイアウトは、全て２点測定で行う陰性ＱＣ対照、陽性ＱＣ対照、および８点の較正曲線を含んでいた。較正曲線は、１／ｙ２加重を用いて、４つのパラメータロジスティック（４−ＰＬ）フィットにフィットさせ、試料濃度を計算するために使用された。
【００７６】
マウスにおける放射線量研究。雌マウス（菌株Ｂ６Ｄ２Ｆ１／Ｊ）は、60Ｃｏのγ線源を用いて、約０．６Ｇｙの／分の線量率で、用量範囲（ある研究での用量は０、１．５、３、６、１０Ｇｙのおよび１４Ｇｙとを含む）での全身照射（ＴＢＩ）に供した。これらの線量レベルからマウスを照射後６時間、１、２、３、５および７日でサンプリングした（表２を参照）。全血はサンプリング時間で収集し、乏血小板ＥＤＴＡ血漿画分および末梢血白血球ペレット（ＰＢＬ）に加工した。全血の別個のアリコートを採取し、血球数を測定した。指定された研究では、一般的に６〜８匹のマウスは、用量／時間条件毎に試験した。一つの研究（「盲検試験」）において、サンプルは、表３に示す条件をカバーするが、線量推定アルゴリズムの性能の不偏特性評価を可能にするために盲検様式で、分析のために提供された。
【００７７】
マウスにおける複合傷害研究。この研究は、放射線バイオマーカーレベルにおける総体表面積の１５％を覆う背部刺創の効果を調べた（創傷モデルはＬｅｄｎｅｙら、２０１０に記載されている）。次に、０（偽照射）、３、６、または１０Ｇｙに被曝させた雌性マウス（Ｂ６Ｄ２Ｆ１／Ｊ株）は、放射の１時間以内に１５％の表面積を刺創された。血漿試料を照射後の６時間、１、２、３、５または７日目に回収した。照射条件および試料回収は、バイオマーカー発見研究のために上記した通りであった。非傷害対照として、同数のマウスは、傷害マウスと同じ線量／時間の条件および処理に供されたが、刺創を受けなかった。また、試料は、真の陰性対照マウスから回収され、偽創傷および照射処置に供されなかった。少なくとも８匹の同型マウスをそれぞれの線量／時間／創傷状態に供した。完全な複合傷害研究を行う前に、より小さな試験的な複合傷害研究を行い、これは、０と６Ｇｙ線量条件、およびそれぞれ線量／時間／傷害状態について６匹だけの同型マウスに限定された（試験的および完全な複合傷害研究についての試験条件の概要についてはそれぞれ表３および表４を参照されたい）。
【００７８】
ＮＨＰ試料を用いた放射線量試験。先の放射線研究からのレムナント非ヒト霊長類（ＮＨＰ）試料（アカゲザル−マカカアカゲザル）を次のように評価した。レムナント試料セットＡは、照射前に、および60Ｃｏγ線供給源から０、１．０、３．５、６．５、または８．５Ｇｙを用いたＴＢＩ照射後の様々な時間で回収されたＥＤＴＡ血漿試料を含み、レムナント試料セットＢは、照射前に、および７．５、１０．０、または１１．５Ｇｙ（６ＭＶ  ＬＩＮＡＣ光子、０．８０Ｇｙ／分）を用いたＴＢＩ照射後の様々な時間で回収されたＥＤＴＡ血漿試料を含んでいた。表５は、実施可能性試験において試験された試料をまとめたものである。試料セットＡが提供され、試料回収時に測定された血液細胞カウントを含んでいた。
【００７９】
ヒト試料。放射線バイオマーカーにおいて予期される正常なバリエーションを測定するために、レムナント血小板に乏しいＥＤＴＡ血漿は、献血センター（Ｂｉｏｒｅｃｌａｍａｔｉｏｎ，ＬＬＣ、Ｌｉｖｅｒｐｏｏｌ、ＮＹ経由）で提供された個々の血液試料から
回収された。試料は４０人の正常な個体と、４つの有病率が高い慢性疾患（高血圧、糖尿病、喘息または慢性関節リウマチ）のそれぞれについて、最大１０人の自己認識している個体から回収された。試料は、表６にまとめられ、性別、年齢および人種において多様であるように選択された。
【００８０】
放射線被曝について潜在的な新規のヒトモデルを評価するために、レムナントヒト試料を放射線腫瘍患者から回収した。ＥＤＴＡ血漿試料を肺癌（１５人の患者）およびＧＩ癌（８人の患者）について標準的な放射線療法を受けている患者から回収した。これらの治療は、影響を受けた臓器の局所的であるが、相対的に大きな領域の照射を伴う。典型的な治療スケジュールは、１日あたり１．８または２．０Ｇｙであって、１週あたり５日を６週間、全線量５４〜６０Ｇｙについて受ける患者を含む。試料は、照射前、３および６週の時点で回収された。ＥＤＴＡ血漿はまた、細胞移植療法用の準備におけるＴＢＩを受けるメラノーマ患者（１３人の患者）から回収された（試料は２Ｇｙ線量を受ける前と受けた後の６時間で回収された）。全ての治療はまた化学療法を含んでいた。試料およびプロトコルのより詳細については、表７に見出すことができる。
【００８１】
【表２】
2020193983.tif 000010
【００８２】
【表３】
2020193983.tif 000011
【００８３】
【表４】
2020193983.tif 000012
【００８４】
【表５】
2020193983.tif 000013
【００８５】
【表６】
2020193983.tif 000014
【００８６】
【表７】
2020193983.tif 000015
【００８７】
データ分析。個々のバイオマーカーの線量および時間反応を評価する際に、異なる試験条件に観測された反応の差の有意性は、両側不対ｔ検定を用いてｐ値を計算することによって決定された。個々のバイオマーカーの測定された線量および時間反応は、マウス放射線量試験で決定したように、線量を予測するためのマルチパラメータアルゴリズムを開発するために使用された。基本的なアプローチは、それぞれのバイオマーカーについての線
量および時間反応をモデル化することである。線量を予測するために、患者（または動物モデル）のバイオマーカーレベルを測定し、その反応表面モデルにそれぞれのバイオマーカーをフィットさせるための最良の妥協点を与える線量を計算する。本明細書に記載されている研究において、被曝時間が分かり、そのため、最良の妥協なフィットを与える線量だけが計算される必要があることが想定される。
【００８８】
結果
マウス放射線量および複合傷害研究−個々のバイオマーカー反応。マウスの放射線量研究のためのバイオマーカー試験の結果を図１〜１７に示す。それぞれの図は、それぞれの回収時間についてのバイオマーカーレベル対線量のプロット、およびそれぞれの線量についてのバイオマーカーレベル対時間のプロットを含む。パネルＡ〜Ｄにおけるマーカーについてのそれぞれのデータポイントは、ＥＰＯ、ＩＬ−５、ＩＬ１０、ＫＣ／ＧＲＯおよびＴＮＦ−α測定を除いて、対照条件については７〜８匹のマウス全体の平均、ならびに偽条件および照射条件については１０〜１２匹のマウス全体の平均を表す。これらのアッセイについてのデータポイントは、対照については３〜４匹のマウス全体の平均、ならびに偽条件および照射条件については６〜８匹のマウス全体の平均を表す。また、図は、非照射対照と比較した、それぞれの条件についてのバイオマーカーレベルの変化における有意性を示すｐ値の表を与える。
【００８９】
線量／時間条件の範囲全体での有意な変化（ｐ＜０．０５）を示す選択されたバイオマーカーについての図を与える。ＤＮＡ損傷および炎症マーカーは、６時間または１日でピークに達し、２日までに大幅に低下する早期の放射線マーカーであったが、ＩＬ−６およびＳＡＡが進行する急性放射線症候群と同様により高線量のために後期の時間点で上昇することを示すいくつかの証拠があった。例外は、後期の時間点で強い反応を示すＩＬ−５とＩＬ−１２であった。ＩＬ−１２は、濃度における強い線量依存性の減少を示す唯一のマーカーであった。組織損傷修復のバイオマーカーは、放射線後の２日またはそれを超えて上昇する傾向にあったが、Ｇ−ＣＳＦは、強い早期および後期反応を有し、Ｆｌｔ−３Ｌは全てであったが、最も早い（６時間の）時間点で有意な反応を示した。
【００９０】
図１〜１７はまた、完全複合傷害研究において試験されたそれぞれの線量および傷害条件についてのバイオマーカーレベル対時間のプロットを含む。０Ｇｙ（非照射）条件に焦点を当て、非損傷マウス（黒丸）と損傷マウス（白丸）についてのバイオマーカーレベルを比較すると、放射線被曝していない、損傷によって変化しなかった多数のバイオマーカー（Ｆｌｔ−３Ｌ、ＧＭ−ＣＳＦ、ＴＰＯ、ＥＰＯ、ＩＬ−５およびＣＤ２７）が存在することが示された。ＳＡＡ、Ｇ−ＣＳＦおよびＣＤ−２６は対照的に、創傷によって有意に上昇し（ｐ＜０．０５）、創傷の効果は、放射線被曝の効果よりも大きさにおいて大きかった。ＩＬ−１２およびＣＤ−４５は、いくつかの時間点で統計学的に有意である中程度の創傷効果を示したが、放射線被曝の効果よりも大きさは低かった。複合傷害モデルを用いて得られた結果は、本明細書に記載されるように、ＬＰＳ注射モデルを用いた結果とほぼ一致しているが、ＧＭ−ＣＳＦおよびＩＬ−１２レベルは、ＬＰＳに応答して強く上昇するが、創傷によって影響を受けず（ＧＭ−ＣＳＦ）または僅かに弱く影響を受けた（ＩＬ−１２）。
【００９１】
バイオマーカーが非照射動物において創傷に対して非感受性である場合、創傷はまた、一般的に、放射線被曝後のバイオマーカーレベルに影響を与えなかった。唯一の例外はＴＰＯであった；創傷は、照射動物において上昇したＴＰＯレベルの出現に関して動態を加速するようであった。効果は、６Ｇｙ線量を受けた動物について最も顕著であった。照射後の５日目に、創傷した動物は、創傷していない動物よりもほぼ５倍高い平均ＴＰＯレベルを有していた。７日目まで、創傷動物と非創傷動物のレベルは、およそ同程度であった。本発明者らは、このタイプの効果を有するバイオマーカーの使用は、照射された患者を
同定する能力に影響を及ぼすことはないが、潜在的に線量の過大評価をもたらす可能性があることを予測する。しかしながら、創傷または他の外傷の情報に基づいて、線量評価アルゴリズムを調整することによってアルゴリズムの精度をさらに向上させることである。
【００９２】
マウス放射線量研究−アルゴリズム開発および試験。５つのバイオマーカー（Ｆｌｔ−３Ｌ、Ｇ−ＣＳＦ、ＧＭ−ＣＳＦ、ＥＰＯ、ＩＬ１２／２３）を用いたマルチパラメータアルゴリズム（方法セクションに記載したように）は、最初のマウス放射線量および時間研究からの全試料セットに適用された。それぞれの試料について、このセットのバイオマーカー測定とともに、予測された線量は、繰り返しのランダムサブサンプリングアプローチを用いて計算された（方法を参照されたい）。図１８（ａ）は、試料の完全セットについての予測線量対実際の所定線量のプロットを示す。破線は、０〜６Ｇｙから±１．５Ｇｙの範囲を示し、６Ｇｙを超えて±２５％を示す。マウスモデルと比較して、放射線量に対して２．５倍高いヒトの感度を説明すると（Ｂ６Ｄ２Ｆ１／Ｊ雌性マウスモデルのＬＤ５０／３０は約９．５Ｇｙ−Ｌｅｄｎｙｅら、２０１０参照−対ヒトの約３〜４Ｇｙである）、対応するヒト同等線量範囲は０〜２．４Ｇｙから±０．６、および２．４Ｇｙを超えて±２５％であった。
【００９３】
適切な範囲に線量を正しく分類するアルゴリズムの能力は、図１８（ａ）から計算することができる。被曝の１〜７日後の時間窓全体で全ての投薬量について、図１８（ａ）における定義された境界内にある試料の割合は９０±３％であり、この場合、標準偏差は、試験およびトレーニングセットの異なる組み合わせにわたって計算された割合における変動である。時間範囲は、６時間の時間点を含むように拡張される場合、精度は８８±３％と僅かに減少することに留意されたい。
【００９４】
アルゴリズムはまた、６Ｇｙと非照射対照マウス（０Ｇｙ）から上回るものを識別し、６Ｇｙの線量と３Ｇｙから上回るものと下回るものを識別する、アルゴリズムの全体的な能力について特徴付けられた。ヒトと比較して、放射線量に対するマウスモデルの低い相対的な生存感受性を考慮すると（ＬＤ５０／３０はマウスモデルについてほぼ２．５倍高い）、この分類は、ヒトにおける約２〜３Ｇｙを上回るまたは下回る線量を分類する能力にほぼ対応しなければならない。図１９（ａ）は、試料を分類するために用いられる予測線量閾値を変化させることによって生成されたＲＯＣ曲線を示す。ＲＯＣ曲線は優れた分類能力を示し、曲線下面積（ＡＯＣ）は、０Ｇｙと≧６Ｇｙの識別について０．９９９であり、≦３Ｇｙと≧６Ｇｙの識別について０．９５６であった。
【００９５】
補足的マウス放射線量研究−アルゴリズム開発および試験。アルゴリズム開発は、第二マウス放射線量研究の結果を用いて進めた。本発明者らのマルチパラメータ線量−推定アルゴリズム（上記される）による使用のための最適なバイオマーカーパネルを選択するために、１２個の最も放射線感受性であるバイオマーカーのそれぞれの可能な組み合わせの性能が、バイオマーカー発見研究のデータセットに対して試験された。トレーニングおよび試験試料は通常独立しているように、繰り返しのランダムサブサンプリングアプローチを用いた。アルゴリズム性能は、２つの異なる測定基準を用いて計算された：（ｉ）完全な試料セット全体で予測される線量における二乗平均平方根誤差（ＲＭＳＥ）として与えられる予測誤差測定基準；（ｉｉ）正確な測定基準、この場合、本発明者らは、予測される線量が０〜６Ｇｙから±１．５Ｇｙ、および６Ｇｙを超える±２５％の試料の割合であるものとして精度を定義した。マウスモデルと比較して、放射線量に対して２．５倍高いヒトの感度を説明すると（Ｂ６Ｄ２Ｆ１／Ｊ雌性マウスモデルのＬＤ５０／３０は約９．５Ｇｙ−Ｌｅｄｎｙｅら、２０１０参照−対ヒトの約３〜４Ｇｙである）、対応するヒト同等線量範囲は０〜２．４Ｇｙから±０．６Ｇｙ、および２．４Ｇｙを超えて±２５％であった。
【００９６】
図２０は、異なる可能なバイオマーカーの組み合わせについてのＲＭＳＥおよび精度測定基準を示す（グラフ中のそれぞれの点は１から１２個のバイオマーカーの異なる組み合わせを表す）。それぞれの可能なパネルサイズについて最も高い性能を示す組み合わせに焦点を当て（それぞれパネルサイズについて最上位点）、この図は、６つのマーカーよりも大きなパネルサイズに対して利点がないことを示す。表８は、それぞれのパネルについて２つの上位性能を示すパネルに関する性能測定基準を示す：３つの高い損傷感受性バイオマーカー（ＳＡＡ、Ｇ−ＣＳＦおよびＣＤ２６）のうちの１つを含む上位性能パネル、およびこれらの３つのマーカーをいずれも含まない上位性能パネル。傷害感受性マーカーは最適な性能について要求される証拠はないため、傷害感受性バイオマーカーを含まない６つのマーカーパネル（ＣＤ２７、Ｆｌｔ−３Ｌ、ＧＭ−ＣＳＦ、ＣＤ４５、ＩＬ１２およびＴＰＯ）は、さらなる性能の特徴付けのための好ましいパネルとして選択された。
【００９７】
【表８】
2020193983.tif 000016
【００９８】
盲目試料の線量を予測するアルゴリズムの性能。マルチパラメータアルゴリズムのためのトレーニングセットとしての完全なバイオマーカー発見データを用いて、最適な６バイオマーカーパネルは、盲検研究からのそれぞれの試料の推定線量を計算するために用いた。この分析では、サンプリング時間情報が利用可能であり、線量推定に使用されたが、線量推定が完了するまで、実際の線量情報をアナリストに見えないようにした。図２１は、
予測された線量と実際の線量の相関を示し、上記される本精度基準を表す点線を含む。このアプローチを用いて、９４．７％の予測された線量は、被曝後の１〜７日に、時間窓全体で全ての線量について本精度基準内であった。線量推定におけるＲＭＳ誤差は１．１４Ｇｙであった（ヒトでは±０．４６Ｇｙにほぼ同等である必要がある）。また、図２１は、本精度基準の外側にある大部分の点が、放射の１日後に回収された試料を示し、これは、追加の早期のバイオマーカーを同定し、それらにより重く加重することによって性能を高める機会があり得ることを指示している。
【００９９】
また、アルゴリズムは、６Ｇｙ以上の線量と非照射対照マウス（０Ｇｙ）を区別し、６Ｇｙ以上と３Ｇｙ以下の線量を区別するその全体的な能力について特徴付けられた。ヒトよりも放射線に対するマウスモデルの感度が低いことを考慮すると（ＬＤ５０／３０はマウスモデルについてほぼ２．５倍高い）、この分類は、ヒトにおける重大な２Ｇｙ閾値あたりの線量を分類する能力にほぼ対応する必要がある。図２２は、試料を分類するために使用された予測された線量閾値を変化させることによって生成されたＲＯＣ曲線を示す。ＲＯＣ曲線は優れた分類能を示し、曲線下面積（ＡＯＣ）の１．０００は０Ｇｙと≧６Ｇｙを区別し、０．９９８は≦３Ｇｙと≧６Ｇｙを区別する。ＲＯＣ分析によって決定された最適な分類を用いて、０Ｇｙと≧６Ｇｙ試料を完全に分離し（１００％感度、１００％特異性）、≦３Ｇｙと≧６Ｇｙ試料をほぼ完全に分離した（９９．２％感度および１００％特異性）。
【０１００】
アルゴリズムの性能における複合傷害の効果。傷害の潜在的な交絡効果に対するアルゴリズムの堅牢性の予備的見解を提供するために、アルゴリズム（選択された最適な６バイオマーカーパネルを用いる）は、パイロット複合傷害研究（０および６Ｇｙ、１５％表面創傷の有無による）からの試料において線量を予測するために使用された。図２３は、予測された線量対実際の線量のプロットを与える。線量予測精度についての本基準内にあった試料の割合は９３．３％であり、傷害コンポーネントを含まない研究について観察された値とほぼ一致している（盲検研究について精度％は９４．７％であった）。線量のＲＭＳＥ誤差（０．８５Ｇｙ）は、盲検研究（１．１４Ｇｙ）ついて観察された値よりも低く、おそらくこれは、盲目研究がより高い線量を含んでいたためである。傷害を受けた動物が含まれるにもかかわらず、非照射動物と照射動物を完全に区別した（１００％感度、１００％特異性）、予測された線量における分類閾値を設定する可能性もあった。
【０１０１】
ＮＨＰ試料中の放射線バイオマーカーの予備試験。照射されたＮＨＰ（アカゲザル）からの保存された血漿試料は、ＮＨＰバイオマーカーアッセイパネルを用いて試験された。しかしながら、ほぼ全ての線量／時間条件については、６つの反復試料の少なくとも５つが全てのアッセイについて試験された。
【０１０２】
図２４（ａ〜ｚ）は、放射線感受性のために選択された１３個のバイオマーカーについての放射線量反応を示す。図２４（ａ〜ｚ）は、マウス線量評価アルゴリズムのために選択された６つバイオマーカーのうちの５つがＮＨＰにおいて放射線反応性であり（Ｆｌｔ−３Ｌ、ＣＤ２７、ＴＰＯ、およびＩＬ−１２）、および／またはＮＨＰにおいて放射線反応性であって機械的類似体を有していた（すなわち、マウスにおけるＣＤ４５についての類似体としての好中球表面マーカーＣＤ１７７、およびマウスにおけるＣＤ２７についての類似体としてのリンパ球表面マーカーＣＤ２０）を示す。マウスパネルからの１つのマーカーであるＧＭ−ＣＳＦは、対照および照射されたＮＨＰにおいて検出されなかった；アッセイは、単に、天然のアカゲザルＧＭ−ＣＳＦに対して十分な感受性を有してしない可能性がある。図２４（ａ〜ｚ）は、マウスモデル（ＳＡＡ、ＥＰＯおよびＧ−ＣＳＦ）における放射線感受性を示したが、線量評価アルゴリズムにおいて使用するために選択されなかった３つのマーカーはまたＮＨＰモデルにおいて放射線に反応したことを示す。図２４（ａ〜ｚ）は、マウスでは有用ではないが、ヒトにおいて放射線被曝を評価するた
めに使用されている２つマーカー（ＣＲＰおよび唾液アミラーゼ）の反応を示し、これらのバイオマーカーがＮＨＰモデルにおいて放射線に反応することを確認する。最終的に、図２４（ａ〜ｚ）は、癌バイオマーカーパネルをスクリーニングすることによって同定された放射線に対する２つの新規な早期応答因子（ＴＩＭＰ−１およびＴＮＦ−ＲＩＩ）についての線量反応を示す。ＴＩＭＰ−１（メタロプロテイナーゼ１の組織阻害剤）は、メタロプロテアーゼの阻害を介して種々の生理学的過程を調節し、さらに、赤血球増強活性を有する。可溶性ＴＮＦ−ＲＩＩ（可溶性ＴＮＦレセプターＩＩ）は、細胞結合型ＴＮＦ受容体のタンパク質分解的切断によって血漿中に放出され、多数の炎症状態が上昇する。
【０１０３】
ＮＨＰモデルにおける線量評価のためのマルチパラメータアルゴリズムを用いる最初のパス試験は、好ましいマウスパネルにほぼ対応するように選択されたバイオマーカーパネルを用いて実施された。パネルは、Ｆｌｔ−３Ｌ、ＴＰＯ、ＩＬ−１２、ＣＤ２０、ＣＤ２７、ＣＤ１７７および唾液アミラーゼを含んでいた。ＣＤ２０およびＣＤ１７７は、マウスのパネルにおいてＣＤ２７およびＣＤ４５と機械的に類似している。ＮＨＰ  ＧＭ−ＣＳＦアッセイは正常マウスまたは照射されたマウスから血漿中の天然ＧＭ−ＣＳＦを検出するのに十分な感度であるようには見えないため、ＧＭ−ＣＳＦを含めなかった。マウスパネルにおける類似体を含まない１つマーカーは、ＮＨＰにおいて確立されたマーカーである唾液アミラーゼであったが、マウスにおいて放射線によって影響を受けない。ＮＨＰ試料セットＡから収集されたデータセットはマウス研究について用いられたアルゴリズムに対して僅かな変更を用いて分析され、ここでは、異なるマーカーの寄与は、特定の時間範囲においてこれらの線量反応性に基づいて加重された。アルゴリズムは、トレーニングバイアスを回避するためにランダムサブサンプリング法を用いてデータセットについてトレーニングし、試験された。図２４（ａ〜ｚ）は、３．５Ｇｙ以上の線量を受けた動物と非照射対照動物（０Ｇｙ）を区別し、３．５Ｇｙ以上の線量を受けた動物と１Ｇｙ以下を受けた動物を区別するためのアルゴリズムの性能を示す。ヒトよりも放射線に対するＮＨＰモデルの感度が低いことを考慮すると（ＬＤ５０／３０はマウスモデルついてほぼ１．５倍で高い）、この分類は、ヒトにおける重大な２Ｇｙ閾値あたりの線量を分類する能力にほぼ対応する必要がある（ＮＨＰにおいて３Ｇｙ）。図２５は、試料を分類するために使用された予測された線量閾値を変化させることによって生成されたＲＯＣ曲線を示す。ＲＯＣ曲線は優れた分類能を示し、曲線下面積（ＡＯＣ）の１．０００は０Ｇｙと≧３．５Ｇｙを区別し、０．９９５は≦１Ｇｙと≧３．５Ｇｙを区別する。ＲＯＣ分析によって決定された最適な分類を用いて、０Ｇｙと≧３．５Ｇｙ試料を完全に分離し（１００％感度、１００％特異性）、≦１Ｇｙと≧３．５Ｇｙ試料をほぼ完全に分離した（９６．９％感度および９８．５％特異性）。図２５はまた、予測された線量と実際の線量の相関を示し、この相関は重大な３Ｇｙポイントの近くで非常に良好であることを示す。
【０１０４】
ヒト正常試料および疾患試料。ヒトバイオマーカーパネルは、４２人の正常な健常個体を含んだ血液ドナーからのレムナント血漿試料（表６）、ならびに４つの罹患率が高い慢性疾患：高血圧（１０試料）、関節リウマチ（６試料）、喘息（１０試料）および糖尿病（９試料）のうちの１つを被っているものとして自己報告しているドナーからの試料のセットを用いて試験された。結果は、図２６においてバーおよびウィスカー形式でプロットされる。疾患集団が、バイオマーカーのいずれかについての正常集団よりも有意に異なっている（ｐ＜０．０５）という証拠はなかった。
【０１０５】
ヒトにおける線量−評価アルゴリズムの使用をサポートするマウスモデルデータの能力を判断する場合、１つの考慮は、正常の増加範囲１が多様なヒト集団において（近交系マウス系統に対して）バイオマーカーに期待し、偽陽性の可能性を増加させるかどうかである。本発明者らは、バイオマーカー発見研究において非照射マウスから測定されたバイオマーカーレベルにランダムノイズを加えることによって、この問題を研究するにように決定し、そのため、「正常な」マウスレベルにおける変動は、正常なヒト集団において観察
された変動と一致する。本発明者らは、好ましい６バイオマーカーパネルにおけるバイオマーカーのうちの４つ（Ｆｌｔ−３Ｌ、ＣＤ２７、ＧＭ−ＣＳＦ、およびＩＬ−１２）にこのノイズを適用する。ＣＤ４５は、ヒト試料セットにおいて測定されなかった。そのため、比較のための参照がなかった。ＴＰＯは、マウス試料セットよりもヒト試料セットにおいて低い変動を実際に示したので、マウスレベルを変化させないままにした。
【０１０６】
次に、データは、どの非照射対照マウスが６Ｇｙに被曝させたマウスと区別し得るかによって、追加されたノイズがどのように特異性に影響を及ぼすかを決定するために分析された。０Ｇｙまたは≧６Ｇｙの分類は、注入されたノイズの不在下で選択された最適な閾値を用いて行われた。図２７に示すように、ベースラインバイオマーカーの変動の増加は、いずれもの追加の誤分類、および１００％で保持される分類について測定された特異性を生じさせなかった。
【０１０７】
放射線腫瘍学を受けている患者からのヒト試料。放射線を受けている癌患者からの試料セット（表７）は、バイオドシメトリアルゴリズムを評価するための潜在的なモデルとして評価された。一組の試料は、細胞移植療法前のリンパ球を枯渇させる化学療法を受けた黒色腫患者由来であった。この研究は、全身照射（化学療法後の３日間）も受けた１つの治療群と、受けなかった１つ治療群を含んでいた。試料は、照射前、最初の２Ｇｙ分画後の５〜６時間にのみ利用可能であり、そのため、試料セットは早期発症バイオマーカーに関連した。図２８に示した結果は、放射前の描写（ｄｒａｗ）および非ＴＢＩ治療群の患者におけるバイオマーカーレベルは、化学療法処方に起因して、正常な範囲とは実質的に相違し得ることを示す。それにもかかわらず、２つのバイオマーカーは、照射前グループおよび非ＴＢＩ治療群と比較して、照射後グループにおいて有意に上昇するものとして現れた：唾液アミラーゼ（ｐ＝０．００１２）、周知な早期発症放射線マーカーおよびｐ５３（ｐ＝０．０１３ ）、初期（１日未満）マーカーとして同定されたマーカー。
【０１０８】
また、試料は、ネオアジュバントまたは同時化学療法を併用して、ＧＩ癌の肺に対して限局放射（１日あたり２Ｇｙ、週５回、６週間）を受けた患者から試験された。バイオマーカーレベルは、放射前および３０と５４〜６０Ｇｙの累積線量後に採取された試料において測定された（図２９）。全体的に、これらの限局放射療法の結果として、バイオマーカーレベルにおいて有意な変化は観察されなかった。造血マーカー（Ｆｌｔ−３ＬとＴＰＯ）の平均レベルの小さな増加、および可溶性リンパ球表面マーカー（ＣＤ５とＣＤ２０）のレベルの小さな下降について証拠があったが、変化は中程度（約２倍）であり、分布間に顕著な重複があった。
【０１０９】
マウス交絡効果研究−個々のバイオマーカー反応。予備的なマウス交絡効果研究の結果は、放射線感受性を示すバイオマーカーについて図３０〜３２に示される。図は、交絡因子の不存在下またはＬＰＳまたはＧ−ＣＳＦの注射後のバイオマーカーレベル対回収時間を示す。プロットは、非照射マウスと、交絡因子での処理後の２時間で６Ｇｙに被曝させたマウスの両方について与えられる。予備的な交絡効果研究は、放射線線量−反応研究（γ線）とは異なる放射線源（Ｘ線）を使用したため、放射線量研究からの０および６Ｇｙの条件は、研究間の結果の一貫性を評価するために重ね合わせられた。図３３は、観察された最大放射線反応（放射線反応研究からの試料を含む）と比較して、観察された最大ＬＰＳおよびＧ−ＣＳＦ反応の相対的な大きさを示すバーグラフを与え、どのマーカーが交絡効果に供され得るかの迅速な評価を可能にする。
【０１１０】
図３３は、いくつかのアッセイ（ＳＡＡ、Ｇ−ＣＳＦ、ＧＭ−ＣＳＦ、ＩＬ−６、ＩＬ−１２、ＩＬ−１２／２３およびＫＣ／ＧＲＯ）が、最大放射線反応と同じスケールでまたはそれより大きいスケールでＬＰＳ反応を示したことを示す。これらのアッセイは、主に、サイトカインまたは炎症反応マーカーであった。Ｆｌｔ−３Ｌ、ＥＰＯ、ＴＰＯ、ｐ
５３およびγＨ２ＡＸは、対照的に、非感受性であり、またはＬＰＳに反応して僅かな上昇を示した。興味深いことに、ＴＮＦ−αは、放射線反応がほとんどないかまたはまったくないが、ＬＰＳに強く反応し、重大な炎症を有する試料を同定するための有用性を有することができる。ほとんどのマーカーは、Ｇ−ＣＳＦ処置に対する反応を示さなかった。反応が観察された場合であっても、例えばＥＰＯについては、反応は放射線反応のスケールに対して比較的小さかった。
【０１１１】
マウス交絡効果研究−減少したＬＰＳ非感受性バイオマーカーセットを用いたアルゴリズム。非放射線関連の炎症反応の交絡効果に対処する１つのアプローチは、明らかな外傷または感染を有する患者に対して線量評価アルゴリズムから炎症性バイオマーカーを除くことである。アルゴリズム性能は、２つのバイオマーカーＬＰＳ非感受性パネル（Ｆｌｔ−３ＬおよびＧ−ＣＳＦ）を生じさせるために、好ましい５パネルバイオマーカーセットからＬＰＳ感受性バイオマーカーを除いた後に特徴付けられた。図１８ｂおよび１９ｂは、予測された線量対実際の線量のプロット、および線量が≧６Ｇｙである試料を分類するためのＲＯＣ曲線を与え、完全な５マーカーパネルについて図１８ａおよび１９ａにおいて与えられた曲線と同様に生じさせた。減少したパネルは線量の予測になおも有用であったが、完全なパネルと比較して、性能において幾分低下していた。最大６Ｇｙの線量について１．５Ｇｙ以内または６Ｇｙより大きい線量について２５％以内で線量を分類する精度は、完全パネルについての９１±３％と比較して、７４±４％であった。線量≧６Ｇｙと非照射対照を区別するためのＲＯＣ曲線についてのＡＵＣは、完全なパネルについての０．９９９と比較して、０．９８９であった。線量≧６Ｇｙと線量≦６Ｇｙを区別するためのＡＵＣは、完全なパネルについての０．９５６と比較して、０．８８２であった。
【０１１２】
ＮＨＰ試料の予備試験。図３４〜３５は、１または３．５Ｇｙ（線量あたり３匹）を用いたＴＢＩ後に０〜９日間で回収されたアカゲザル血漿試料のサブセットの予備試験に基づいて得られた結果を示す。結果は、大部分、マウスモデルを用いた観察された結果を裏付ける；違いを以下に強調する。ＮＨＰモデルは、一般に、約３Ｇｙでより強い反応を伴うより高い放射線感受性を示した。多くのマーカーは１Ｇｙで良好な反応を示した。ＥＰＯおよびＳＡＡは、マウスにおいて観察されたものよりも広い時間範囲（ＥＰＯについて１〜９日間、ＳＡＡについて１〜３日間）にわたって応答した。ＣＲＰは、マウスにおいて非放射線反応性でありながら、ＮＨＰにおいて強い初期反応を示した。ＢＰＩおよびｐ５３はともに、非常に初期（６時間）マーカーとして観察された。ＧＭ−ＣＳＦは、ＮＨＰモデルにおける放射線に応答しなかった（データ示さず）。
【０１１３】
図３６は、血漿試料がＣＤ２０（リンパ球）およびＣＤ１７７（好中球）サロゲートマーカーを用いて試験されたときに得られた興味深い結果を示す。照射後の０、１または２日に回収された、保存された血液ペレット試料の小さなセットを用いた予備試験は、ＣＤ２０およびＣＤ１７７レベルが、細胞カウントによって観察される（データ示さず）。さらに興味深いことに、図３６は、１および３．５Ｇｙコホートからの血漿試料に関して、血漿中に遊離した（細胞に結合していない）ＣＤ−２０とＣＤ−１７７が測定可能なレベルで存在し、これらのマーカーの血漿レベルの線量と時間経過の変化は有用な診断情報を提示することを示す。
【０１１４】
ＮＨＰモデルについての追加のＮＨＰ試料テストおよび線量評価アルゴリズムの開発。ＮＨＰモデルからのデータを用いて、それぞれのバイオマーカーについての時間−線量反応表面に多重化バイオマーカーデータをフィットさせることによって放射線量を評価するアプローチを評価した（マウスデータについて上述された同一のアプローチ）。結果は、６血漿マーカー（Ｆｌｔ−３Ｌ、ＥＰＯ、ｐ５３、ＣＤ２０、ＣＤ１７７およびＳＡＡ）のパネルが、３．５Ｇｙ超を受けた動物（ヒトでは約２Ｇｙに相当する）と、３．５Ｇｙ未満を受けた動物との良好な区別を与えることができることを示し、さらに、半定量的な
線量予測に対して高精度を与えた。これらの６つのバイオマーカーについての結果を以下の表２６および図３７に示す。また、表２６は、本研究において測定された追加のバイオマーカーの識別有効性を示す。
【０１１５】
【表９】
2020193983.tif 000017
【０１１６】
ＣＤ１７７／ＣＤ２０比を有するモデルにおけるＣＤ２０およびＣＤ１７７の個々の値を置き換える影響は、この変更が、アルゴリズムの精度を改善するかどうかを決定するために評価された（血液学的結果に基づく線量評価について好中球／リンパ球比の使用に類似する）。表２７（ａ）−（ｂ）に示すように、比の使用は、個々の値の使用にほぼ同等の精度を与えた。
【０１１７】
【表１０】
2020193983.tif 000018
【０１１８】
線量評価のための代替アルゴリズムもまた評価した。単純な線形モデル（用量＝Ａ1Ｃ1＋Ａ2Ｃ2＋Ａ3Ｃ3＋・・・、ここで、Ｃｉはマーカーｉの濃度であり、Ａｉは経験的に決定された係数である）は、０と３．５Ｇｙに被曝させた動物を区別するための反応表面に基づくモデルに同等であった（両方のモデルは、これらの２つのグループにおける動物から全ての試料を正しく分類することができた）。線形モデルは、露出と試料回収の間の時間の知識を必要としないという利点があるが、線量および表面モデルを定量しない（最適なパネルの線量評価についての二乗平均平方根誤差は反応表面モデルについて約１Ｇｙ対約０．３Ｇｙであった）。
【０１１９】
様々な刊行物および試験方法が本明細書に引用され、これらの開示は、全体として参照によって本明細書に組み入れられる。本明細書に参照によって組み入れられおよび／また
は本明細書において言及される本明細書および資料が、相反する開示、および／または技術用語の一貫性のない使用を含み、および／または組み入れられた／言及された資料が、本明細書において使用されもしくは定義されるものとは異なって使用または定義している場合、本明細書が優先する。
【０１２０】
References
1.  Baranov AE, Guskova AK, Nadejina NM, Nugis VY. (1995). Chernobyl experience:
biological indicators of exposure to ionizing radiation. Stem Cells. 13(Suppl 1): 69-77.
2.  Bertho JM, Roy L. (2009) A rapid multiparametric method for victim triage in
cases of accidental protracted irradiation or delayed analysis. Br J Radiol. Aug;82(981):764-70.
3.  Bertho JM, Roy L, Souidi M, Benderitter M, Bey E, Racine R, Fagot T, Gourmelon P. (2009) Initial evaluation and follow-up of acute radiation syndrome in two
patients from the Dakar accident.Biomarkers. Mar;14(2):94-102.
4.  Bertho J-M, Demarquay C, Frick J, Joubert C, Arenales S, Jacquet N, Sorokine-Durm I, Quang Chau, Lopez M, Aigueperse J, Gorin N-C, Gourmelon P. (2001). Level of Flt3-ligand in plasma: a possible new bio-indicator for radiation-induced aplasia.  Int. J. Radiat. Biol. 77(6): 703-712.
5.  Blakely WF, Ossetrova NI, Whitnall MH, Sandgren DJ, Krivokrysenko VI, Shakhov A, Feinstein E. (2010) Multiple parameter radiation injury assessment using a nonhuman primate radiation model-biodosimetry applications. Health Phys. Feb;98(2):153-9.
6.  Dainiak N, Waselenko JK, Armitage JO, MacVittie TJ, Farese AM. (2003) The hematologist and radiation casualties. Hematology Am Soc Hematol Educ Program.:473-96. Review.
7.  Dainiak, N. (2002). Hematologic consequences of exposure to ionizing radiation. Exp. Hematol. 30, 513-28.
8.  Fliedner TM, Friesecke I., and Beyrer K. ( 2001). Medical management of radiation accidents. Manual on the acute radiation syndrome. The British Institute of Radiology, London, United Kingdom.
9.  Goans, R.E., Holloway, E.C., Berger, M.E., Ricks, R.C. (1997). Early dose assessment following severe radiation accidents, Health Phys. 72(4), 513-18.
10.  Huchet A, Belkacemi Y, Frick J, Prat M, Muresan-Kloos I, Altan D, Chapel A,
Gorin NC, Gourmelon P, Bertho JM. (2003) Plasma Flt-3 ligand concentration correlated with radiation-induced bone marrow damage during local fractionated radiotherapy. Int J Radiat Oncol Biol Phys. Oct 1;57(2):508-15.
11.  Ledney G.D.and Elliot T.B. (2010).  Combined injury:  factors with potential to impact radiation dose assessments.  Health Physics  98: 145-152.
12.  Kabacik S, Mackay A, Tamber N, Manning G, Finnon P, Paillier F, Ashworth A,
Bouffler S, Badie C. (2011) Gene expression following ionising radiation: identification of biomarkers for dose estimation and prediction of individual response. Int J Radiat Biol. Feb;87(2):115-29.
13.  Koc M., Taysi S., Sezen O., Bakan N. (2003). Levels of some acute-phase proteins in the serum of patients with cancer during radiotherapy. Biology Pharmaceutical Bulletin 26(10):1494-1497.
14.  MacVittie TJ, Monroy RL, Patchen ML, Souza LM. (1990): Therapeutic use of recombinant human G-CSF in a canine model of sublethal and lethal whole-body irradiation. Int J Radiat Biol 57:723.
15.  Mal'tsev VN, Strel'nikov VA, and Ivanov AA. (1978). C-reactive protein in t
he blood serum as an indicator of the severity of radiation lesion. Doklady Akademii Nauk SSR 239(3):750-2.
16.  Mal'tsev VN, Ivanov AA, Mikhailov VF, Mazurik VK.  (2006) [The individual prognosis of the gravity and of the outcome of acute radiation disease based on immunological indexes]. Radiats Biol Radioecol. Mar-Apr;46(2):152-8.
17.  Metcalf D. (1985) The granulocyte-macrophage colony-stimulating factors. Science, 229:16-22.
18.  Monroy RL, Skelly RR, MacVittie TJ, Davis TA, Sauber JJ, Clark SC, Donahue RE. (1987) The effect of recombinant GM-CSF on the recovery of monkeys transplanted with autologous bone marrow. Blood 70:1696.
19.  Mouthon MA, Vandamme M, Gourmelon P, Vainchenker W, Wendling F. (1999)Preferential liver irradiation enhances hematopoiesis through a thrombopoietin-independent mechanism. Radiat Res. Oct;152(4):390-7.
20.  Ossetrova NI, Sandgren DJ, Gallego S, Blakely WF. (2010) Combined approach of hematological biomarkers and plasma protein SAA for improvement of radiation dose assessment triage in biodosimetry applications. Health Phys. Feb;98(2):204-8.
21.  Ossetrova NI, Farese AM, MacVittie TJ, Manglapus GL, Blakely WF. (2007). The use of discriminant analysis for evaluation of early-response multiple biomarkers of radiation exposure using non-human primate 6-Gy whole-body radiation model. Radiation Measurements 42(6-7): 1158-1163.
22.  Ossetrova NI, Blakely WF. Multiple blood-proteins approach for early-response exposure assessment using an in vivo murine radiation model. International Journal of Radiation Biology. 2009. 85(10): 837-850.
23.  Ossetrova NI, Sandgren DJ, Blakely WF. C-reactive Protein and Serum Amyloid
A as Early-phase and Prognostic Indicators of Acute Radiation Exposure in Nonhuman Primate Total-body Irradiation Model. Radiation Measurements. 2011. 46:1019-1024.
24.  Redon CE, Nakamura AJ, Martin OA, Parekh PR, Weyemi US, Bonner WM. (2011) Recent developments in the use of γ-H2AX as a quantitative DNA double-strand break biomarker. Aging (Albany NY). Feb;3(2):168-74.
25.  Redon CE, Nakamura AJ, Gouliaeva K, Rahman A, Blakely WF, Bonner WM. The use of gamma-H2AX as a biodosimeter for total-body radiation exposure in non-human
primates. (2010)  PLoS One. Nov 23;5(11):e15544.
26.  Rothkamm K, Horn S.( 2009) gamma-H2AX as protein biomarker for radiation exposure. Ann Ist Super Sanita. 45(3):265-71.
27.  Taneja N, Davis M, Choy JS, Beckett MA, Singh R, Kron SJ, Weichselbaum RR..
(2004) Histone H2AX phosphorylation as a predictor of radiosensitivity and target for radiotherapy. Journal of Biological Chemistry 279:2273-2280.
28.  Tukachinski S.E. and Moiseeva V.P.(1961). Cx-reactive protein in radiation injury. Bulletin of Experimental  Biology and  Medicine, 52:48-52.
29.  Welte K, Bonilla MA, Gillio AP, Boone TC, Potter GK, Gabrilove JL, Moore MAS, OReilly RJ, Souza LM. (1987) Recombinant human granulocyte colony-stimulating
factor. Effects on hemopoiesis in normal and cyclophosphamide-treated primates.
J Exp Med 165:941.
30.  Wilson JW, Pritchard DM, Hickman JA, Potten CS. (1998 ) Radiation-induced p53 and p21WAF-1/CIP1 expression in the murine intestinal epithelium: apoptosis and cell cycle arrest. Am J Pathol. Sep;153(3):899-909.
31.  WO 2008/140463; Blakely, et al., “Biomarker Panels for Assessing Radiation
Injury and Exposure.”
【図１】
2020193983.tif 000021
【図２】
2020193983.tif 000022
【図３】
2020193983.tif 000023
【図４】
2020193983.tif 000024
【図５】
2020193983.tif 000025
【図６】
2020193983.tif 000026
【図７】
2020193983.tif 000027
【図８】
2020193983.tif 000028
【図９】
2020193983.tif 000029
【図１０】
2020193983.tif 000030
【図１１】
2020193983.tif 000031
【図１２】
2020193983.tif 000032
【図１３】
2020193983.tif 000033
【図１４】
2020193983.tif 000034
【図１５】
2020193983.tif 000035
【図１６】
2020193983.tif 000036
【図１７】
2020193983.tif 000037
【図１８ａ】
2020193983.tif 000038
【図１８ｂ】
2020193983.tif 000039
【図１９ａ】
2020193983.tif 000040
【図１９ｂ】
2020193983.tif 000041
【図２０】
2020193983.tif 000042
【図２１】
2020193983.tif 000043
【図２２】
2020193983.tif 000044
【図２３】
2020193983.tif 000045
【図２４−１】
2020193983.tif 000046
【図２４−２】
2020193983.tif 000047
【図２４−３】
2020193983.tif 000048
【図２４−４】
2020193983.tif 000049
【図２４−５】
2020193983.tif 000050
【図２４−６】
2020193983.tif 000051
【図２４−７】
2020193983.tif 000052
【図２４−８】
2020193983.tif 000053
【図２４−９】
2020193983.tif 000054
【図２５】
2020193983.tif 000055
【図２６】
2020193983.tif 000056
【図２７】
2020193983.tif 000057
【図２８】
2020193983.tif 000058
【図２９】
2020193983.tif 000059
【図３０】
2020193983.tif 000060
【図３１】
2020193983.tif 000061
【図３２】
2020193983.tif 000062
【図３３】
2020193983.tif 000063
【図３４】
2020193983.tif 000064
【図３５】
2020193983.tif 000065
【図３６】
2020193983.tif 000066
【図３７】
2020193983.tif 000067
【図３８ａ】
2020193983.tif 000068
【図３８ｂ】
2020193983.tif 000069
【図３８ｃ】
2020193983.tif 000070
【手続補正書】
【提出日】令和2年8月24日(2020.8.24)
【手続補正１】
【補正対象書類名】特許請求の範囲
【補正対象項目名】全文
【補正方法】変更
【補正の内容】
【特許請求の範囲】
【請求項１】
患者試料における電離放射線の吸収線量または放射線誘発の組織傷害を評価するために使用される多重アッセイキットであって、前記キットは、イムノアッセイを用いて前記試料中の複数のバイオマーカーのレベルを測定するように構成され、前記複数のバイオマーカーは、
（ａ）ＤＮＡ損傷バイオマーカー；
（ｂ）炎症反応バイオマーカー；
（ｃ）組織損傷バイオマーカー；
（ｄ）組織損傷修復バイオマーカー；
（ｅ）血液学サロゲートマーカー；および
（ｆ）これらの組み合わせ
を含む、上記多重アッセイキット。
【請求項２】
前記複数のバイオマーカーが、バイオマーカー（ａ）〜（ｅ）のうちの少なくとも２つを含む、請求項１に記載のキット。
【請求項３】
前記複数のバイオマーカーが、バイオマーカー（ａ）〜（ｅ）のうちの少なくとも４つを含む、請求項１に記載のキット。
【請求項４】
前記複数のバイオマーカーが、下記：
（ａ）ＤＮＡ損傷バイオマーカー；
（ｂ）炎症反応バイオマーカー；
（ｃ）組織損傷バイオマーカー；
（ｄ）組織損傷修復バイオマーカー；および
（ｅ）血液学サロゲートマーカー
からなる群から選択される、請求項１に記載のキット。
【請求項５】
試料中に存在する前記複数のバイオマーカーのレベルを、患者によって吸収された放射線の線量と相互に関連付ける指示をさらに含む、請求項１に記載のキット。
【請求項６】
コンピュータシステムによって実行されるとき、コンピュータシステムに、試料中に存在する前記複数のバイオマーカーのレベルを、患者によって吸収された放射線の線量と相互に関連付けることを含む方法を実行させるコンピュータプログラムを格納しているコンピュータ読み取り可能な記録媒体をさらに含む、請求項１に記載のキット。
【請求項７】
前記炎症反応バイオマーカーが組織損傷修復バイオマーカーではない、請求項１〜６のいずれか１項に記載のキット
【請求項８】
前記炎症反応バイオマーカーが組織損傷修復バイオマーカーである、請求項１〜６のいずれか１項に記載のキット。
【請求項９】
前記ＤＮＡ損傷バイオマーカーが、ｐ５３、ｐ２１、ＧＡＤＤ４５ａ、ＡＴＭ、リン酸化Ｈ２ＡＸヒストン、およびこれらの組み合わせを含む、請求項１〜６のいずれか１項に記載のキット。
【請求項１０】
前記炎症反応バイオマーカーが、ＩＬ−６、ＣＲＰ、ＳＡＡ、ＩＬ−１、ＩＬ−５、ＩＬ−１０、ＫＣ／ＧＲＯ、ＩＦＮ、ＩＬ−２、ＩＬ−４、ＴＮＦ−アルファ、ＩＬ−１２、ＩＬ−３、ＩＬ−７、ＩＬ−６、およびこれらの組み合わせを含む、請求項１〜６のいずれか１項に記載のキット。
【請求項１１】
前記組織損傷バイオマーカーが、唾液ベータ−アミラーゼ、シトルリン化タンパク質、Ｓ１００Ｂ、ＳＰ−Ｄ、ＢＰＩ、ＴＳＰ、ＣＡ１５−３、ＣＤＢＢ、ＣＫＭＢ、ＣＫＭＭ、ＦＡＢＰ２、ＧＦＡＰ、ＮＳＥ、およびこれらの組み合わせを含む、請求項１〜６のいずれか１項に記載のキット。
【請求項１２】
前記血液学サロゲートマーカーが、ＣＤ５、ＣＤ−１６ｂ、ＣＤ２０、ＣＤ１７７、ＣＤ２６、ＣＤ２７、ＣＤ４０、ＣＤ４５、およびこれらの組み合わせを含む、請求項１〜６のいずれか１項に記載のキット。
【請求項１３】
前記組織損傷修復バイオマーカーが、Ｆｌｔ−３Ｌ、Ｇ−ＣＳＦ、ＫＦＧ、ＥＰＯ、ＴＰＯ、ＧＭ−ＣＳＦ、ＳＤＦ−１ａ、およびこれらの組み合わせを含む、請求項１〜６のいずれか１項に記載のキット。
【請求項１４】
前記組織損傷修復バイオマーカーがＦｌｔ−３Ｌである、請求項１〜６のいずれか１項に記載のキット。
【請求項１５】
Ｇ−ＣＳＦ、ＥＰＯ、ＧＭ−ＣＳＦ、ＳＤＦ−１ａ、およびこれらの組み合わせから選択される追加の組織損傷修復バイオマーカーをさらに含む、請求項１〜６のいずれか１項に記載のキット
【請求項１６】
前記炎症反応バイオマーカーが、ＩＬ−１２、ＩＬ−３、ＩＬ−７、ＩＬ−６、またはこれらの組み合わせである、請求項１４または１５に記載のキット。
【請求項１７】
前記キットが、Ｆｌｔ−３Ｌ、Ｇ−ＣＳＦ、ＧＭ−ＣＳＦ、ＥＰＯ、ＣＤ２７、ＣＤ４５、ＳＡＡ、ＣＤ２６、ＩＬ−１２、およびＴＰＯを含む、請求項１〜１６のいずれか１項に記載のキット。
【請求項１８】
前記キットが、Ｆｌｔ−３Ｌ、ＧＭ−ＣＳＦ、ＳＡＡ、ＴＰＯ、ＣＤ２７、ＣＤ４５、ＣＤ２６、およびＩＬ−１２を含む、請求項１〜１７のいずれか１項に記載のキット。
【請求項１９】
（ａ）バーコード化された患者識別タグ；（ｂ）バーコードを含む乾燥血液スポット収集カード；（ｃ）乾燥剤を含む試料搬送バッグ；（ｄ）プランジャーを有するキャピラリー；または（ｅ）ランセットを含む、追加のキットコンポーネントをさらに含む、請求項１〜１８のいずれか１項に記載のキット。
【請求項２０】
前記キットが、前記キットにおいて行われるアッセイに用いられる複数のアッセイウェルを含むマルチウェルアッセイプレートを含み、前記複数のアッセイウェルが、前記試料中の前記複数のバイオマーカーの前記レベルを測定するように構成される、請求項１〜１９のいずれか一項に記載のキット。
【請求項２１】
前記アッセイプレートのウェルが複数のアッセイドメインを含み、前記アッセイドメインの少なくとも２つは、異なるバイオマーカーを測定するための試薬を含む、請求項２０に記載のキット。
【請求項２２】
前記キットが、複数のアッセイを実行するためのアッセイカートリッジを含み、前記カートリッジが、入口、出口または検出チャンバを有するフローセルを含み、前記入口、検出チャンバまたは出口は前記フローセルを通る流路を画定し、前記検出チャンバは前記試料中の前記複数のバイオマーカーの前記レベルを測定するように構成される、請求項２０に記載のキット。
【請求項２３】
前記キットが、前記アッセイにおいて使用される１つまたはそれ以上の追加のアッセイ試薬をさらに含み、前記１つまたはそれ以上の追加のアッセイ試薬は、１つまたはそれ以上のバイアル、容器または前記キットのコンパートメントにおいて提供される、請求項１〜２２のいずれか１項に記載のキット。
【請求項２４】
前記キットが、電気化学発光（ＥＣＬ）標識試薬をさらに含み、前記レベルが、ＥＣＬを測定することによって、前記キットを用いて実行されるアッセイにおいて測定される、請求項１〜２３のいずれか１項に記載のキット。
【請求項２５】
患者試料における電離放射線の吸収線量を評価するために使用される多重アッセイキットであって、前記キットは、イムノアッセイを用いて前記試料中の複数のバイオマーカーのレベルを測定するように構成され、前記複数のバイオマーカーは、（ｉ）Ｆｌｔ−３Ｌ、Ｇ−ＣＳＦ、ＧＭ−ＣＳＦ、ＥＰＯ、ＣＤ２７、ＣＤ４５、ＳＡＡ、ＣＤ２６、ＩＬ−１２、ＴＰＯ、およびこれらの組み合わせを含む１つまたはそれ以上のバイオマーカー；ならびに（ｉｉ）
（ａ）ＤＮＡ損傷バイオマーカー；
（ｂ）炎症反応バイオマーカー；
（ｃ）組織損傷バイオマーカー；
（ｄ）組織損傷修復バイオマーカー；
（ｅ）血液学サロゲートマーカー；および
（ｆ）これらの組み合わせ
を含む追加のバイオマーカーを含む、上記多重アッセイキット。
【請求項２６】
前記複数のバイオマーカーが、バイオマーカー（ａ）〜（ｅ）のうちの少なくとも２つを含む、請求項２５に記載のキット。
【請求項２７】
前記複数のバイオマーカーが、バイオマーカー（ａ）〜（ｅ）のうちの少なくとも４つを含む、請求項２５に記載のキット。
【請求項２８】
前記複数のバイオマーカーが、下記：
（ａ）ＤＮＡ損傷バイオマーカー；
（ｂ）炎症反応バイオマーカー；
（ｃ）組織損傷バイオマーカー；
（ｄ）組織損傷修復バイオマーカー；および
（ｅ）血液学サロゲートマーカー
からなる群から選択される、請求項２５に記載のキット。
【請求項２９】
試料中に存在する前記複数のバイオマーカーのレベルを、患者によって吸収された放射線の線量と相互に関連付けるための指示をさらに含む、請求項２５に記載のキット。
【請求項３０】
コンピュータシステムによって実行されるとき、コンピュータシステムに、試料中に存在する前記複数のバイオマーカーのレベルを、患者によって吸収された放射線の線量と相互に関連付けることを含む方法を実行させるコンピュータプログラムを格納しているコンピュータ読み取り可能な記録媒体をさらに含む、請求項２５に記載のキット。
【請求項３１】
請求項２５に記載のキットまたは前記複数のバイオマーカーのレベルを測定するための前記キットのコンポーネントを収納することができるデバイスであって、前記デバイスはコンピュータシステムと動作可能に関連し、前記コンピュータシステムは、該コンピュータシステムによって実行されるとき、コンピュータプログラムに、試料中に存在する前記複数のバイオマーカーのレベルを、患者によって吸収された放射線の線量と相互に関連付けることを含む方法を実行させるコンピュータプログラムを格納している、上記デバイス。
【請求項３２】
前記炎症反応バイオマーカーが組織損傷修復バイオマーカーである、請求項２５〜３１のいずれか１項に記載のキット。
【請求項３３】
前記ＤＮＡ損傷バイオマーカーが、ｐ５３、ｐ２１、ＧＡＤＤ４５ａ、ＡＴＭ、リン酸化Ｈ２ＡＸヒストン、およびこれらの組み合わせを含む、請求項２５〜３１のいずれか１項に記載のキット。
【請求項３４】
前記炎症反応バイオマーカーが、ＩＬ−６、ＣＲＰ、ＳＡＡ、ＩＬ−１、ＩＬ−５、ＩＬ−１０、ＫＣ／ＧＲＯ、ＩＦＮ、ＩＬ−２、ＩＬ−４、ＴＮＦ−アルファ、ＩＬ−１２、ＩＬ−３、ＩＬ−７、ＩＬ−６、およびこれらの組み合わせを含む、請求項２５〜３１のいずれか１項に記載のキット。
【請求項３５】
前記組織損傷バイオマーカーが、唾液ベータ−アミラーゼ、シトルリン化タンパク質、Ｓ１００Ｂ、ＳＰ−Ｄ、ＢＰＩ、ＴＳＰ、ＣＡ１５−３、ＣＫＢＢ、ＣＫＭＢ、ＣＫＭＭ、ＦＡＢＰ２、ＧＦＡＰ、ＮＳＥ、およびこれらの組み合わせを含む、請求項２５〜３１のいずれか１項に記載のキット。
【請求項３６】
前記血液学サロゲートマーカーが、ＣＤ５、ＣＤ−１６ｂ、ＣＤ２０、ＣＤ１７７、ＣＤ２６、ＣＤ２７、ＣＤ４０、ＣＤ４５、およびこれらの組み合わせを含む、請求項２５〜３１のいずれか１項に記載のキット。
【請求項３７】
前記１つまたはそれ以上のバイオマーカーがＦｌｔ−３Ｌを含む、請求項２５〜３１のいずれか１項に記載のキット。
【請求項３８】
前記１つまたはそれ以上のバイオマーカーが、Ｇ−ＣＳＦ、ＧＭ−ＣＳＦ、ＥＰＯ、ＣＤ２７、ＣＤ４５、ＳＡＡ、ＣＤ２６、ＩＬ−１２、およびＴＰＯをさらに含む、請求項３７に記載のキット。
【請求項３９】
前記キットが、Ｆｌｔ−３Ｌ、ＧＭ−ＣＳＦ、ＳＡＡ、ＴＰＯ、ＣＤ２７、ＣＤ４５、ＣＤ２６、およびＩＬ−１２を含む、請求項３８に記載のキット。
【請求項４０】
（ａ）バーコード化された患者識別タグ；（ｂ）バーコードを含む乾燥血液スポット収集カード；（ｃ）乾燥剤を含む試料搬送バッグ；（ｄ）プランジャーを有するキャピラリー；または（ｅ）ランセットを含む、追加のキットコンポーネントをさらに含む、請求項２５〜３９のいずれか１項に記載のキット。
【請求項４１】
前記キットが、前記キットにおいて行われるアッセイに用いられる複数のアッセイウェルを含むマルチウェルアッセイプレートを含み、前記複数のアッセイウェルが、前記試料中の前記複数のバイオマーカーの前記レベルを測定するように構成される、請求項２５〜４０のいずれか一項に記載のキット。
【請求項４２】
前記アッセイプレートのウェルが複数のアッセイドメインを含み、前記アッセイドメインの少なくとも２つは異なるバイオマーカーを測定するための試薬を含む、請求項４１に記載のキット。
【請求項４３】
前記キットが、複数のアッセイを実行するためのアッセイカートリッジを含み、前記カートリッジが、入口、出口または検出チャンバを有するフローセルを含み、前記入口、検出チャンバおよび出口は前記フローセルを通る流路を画定し、前記検出チャンバは前記試料中の前記複数のバイオマーカーの前記レベルを測定するように構成される、請求項２５〜４０のいずれか一項に記載のキット。
【請求項４４】
試料中の末梢血白血球の状態をアッセイする方法であって、
（ａ）試料中の複数の血液学サロゲートバイオマーカーのレベルを測定する工程であって、該複数のバイオマーカーは、リンパ球細胞表面マーカー、好中球細胞表面マーカー、およびこれらの組み合わせを含む、上記工程；
（ｂ）前記試料中の前記バイオマーカーの前記レベルと、正常の対照試料中の前記バイオマーカーのレベルとを比較する工程；および
（ｃ）前記比較工程（ｂ）に基づいて、前記末梢血白血球の状態を決定する工程
を含む上記方法。
【請求項４５】
前記リンパ球表面マーカーが、ＣＤ５、ＣＤ２０、ＣＤ２６、ＣＤ２７、ＣＤ４０、およびこれらの組み合わせを含む、請求項４４に記載の方法。
【請求項４６】
前記好中球細胞表面マーカーが、ＣＤ１６ｂ、ＣＤ１７７、およびこれらの組み合わせを含む、請求項４４に記載の方法。
【請求項４７】
前記試料が、血液細胞ペレット、血清または血漿である、請求項４４に記載の方法。
【請求項４８】
前記試料が血漿である、請求項４４に記載の方法。
【外国語明細書】
2020193983000001.pdf